(57)【要約】      （修正有）【課題】保存安定性、発色性、噴射安定性に優れ、耐光性、耐オゾン性にも優れ、たとえ退色したとしても、画像の色バランス変化の少ないインクジェット記録用水性インクセットを提供する。【解決手段】着色剤、水及び水溶性有機溶剤を含むイエロー、マゼンタ及びシアンインクを含む水性インクセットであって、イエローインクが、特定の構造を有する二種類の染料およびＣ．Ｉ．ダイレクトイエロー８６、Ｃ．Ｉ．ダイレクトイエロー１３２、Ｃ．Ｉ．ダイレクトイエロー１４２からなる群から選択される少なくとも一種の染料染料を含み、マゼンタインクが、特定の構造を有する染料およびＣ．Ｉ．アシッドレッド１、Ｃ．Ｉ．アシッドレッド２５４からなる群から選択される少なくとも一種の染料を含み、シアンインクが、銅フタロシアニン系の染料を含むインクジェット記録用水性インクセット。【選択図】なし【特許請求の範囲】
【請求項１】
水性イエローインク、水性マゼンタインクおよび水性シアンインクを含むインクジェット記録用水性インクセットであって、
前記水性イエローインクが、イエロー着色剤、水および水溶性有機溶剤を含み、前記イエロー着色剤が、下記のイエロー染料（Ｙ−１）およびイエロー染料（Ｙ−２）を含み、
前記水性マゼンタインクが、マゼンタ着色剤、水および水溶性有機溶剤を含み、前記マゼンタ着色剤が、下記のマゼンタ染料（Ｍ−１）およびマゼンタ染料（Ｍ−２）を含み、
前記水性シアンインクが、シアン着色剤、水および水溶性有機溶剤を含み、前記シアン着色剤が、下記のシアン染料（Ｃ−１）を含むことを特徴とするインクジェット記録用水性インクセット。
イエロー染料（Ｙ−１）：一般式（Ｙ−１）で表される染料
イエロー染料（Ｙ−２）：Ｃ．Ｉ．ダイレクトイエロー８６、Ｃ．Ｉ．ダイレクトイエロー１３２およびＣ．Ｉ．ダイレクトイエロー１４２からなる群から選択される少なくとも一種の染料
マゼンタ染料（Ｍ−１）：一般式（Ｍ−１）で表される染料
マゼンタ染料（Ｍ−２）：一般式（Ｍ−２ａ）で表される染料、一般式（Ｍ−２ｂ）で表される染料、Ｃ．Ｉ．アシッドレッド１およびＣ．Ｉ．アシッドレッド２５４からなる群から選択される少なくとも一種の染料
シアン染料（Ｃ−１）：一般式（Ｃ−１）で表される染料
【化１】
2011111611.tif 000053
一般式（Ｙ−１）において、
Ｒ１、Ｒ２、Ｙ１およびＹ２は、それぞれ、一価の基であり、Ｒ１、Ｒ２、Ｙ１およびＹ２は同一でも異なっていてもよく、
Ｘ１およびＸ２は、それぞれ、電子吸引性基であり、Ｘ１およびＸ２は同一でも異なっていてもよく、
Ｚ１およびＺ２は、それぞれ、水素原子、置換または無置換のアルキル基、置換または無置換のアルケニル基、置換または無置換のアルキニル基、置換または無置換のアラルキル基、置換または無置換のアリール基、置換または無置換のヘテロ環基であり、Ｚ１およびＺ２は同一でも異なっていてもよく、
Ｍ１は、水素原子またはカチオンである。
【化２】
2011111611.tif 000054
一般式（Ｍ−１）において、
ｎ１は、１または２であり、
３つのＭは、それぞれ、ナトリウムまたはアンモニウムであり、３つのＭは同一でも異なっていてもよく、
Ｒ０は、カルボキシ基で置換された炭素原子数１〜８のモノアルキルアミノ基である。
【化３】
2011111611.tif 000055
一般式（Ｍ−２ａ）において、
Ｒ１１は、水素原子、置換または無置換のアルキル基、置換または無置換のアリール基であり、
Ｒ１２は、水素原子、ハロゲン原子またはシアノ基であり、
Ｒ１３は、水素原子、置換または無置換のアルキル基、置換または無置換のアリール基、置換または無置換のヘテロ環基であり、
Ｒ１４、Ｒ１５、Ｒ１６およびＲ１７は、それぞれ、水素原子、置換または無置換のアルキル基、置換または無置換のアリール基、置換または無置換のヘテロ環基、置換または無置換のスルホニル基、置換または無置換のアシル基であり、Ｒ１４、Ｒ１５、Ｒ１６およびＲ１７は同一でも異なっていてもよいが、Ｒ１４とＲ１５が共に水素原子であることはなく、Ｒ１６とＲ１７が共に水素原子であることはなく、
Ａ１およびＡ２は、双方が置換または無置換の炭素原子であるか、若しくは一方が置換または無置換の炭素原子であり、且つ、他方が窒素原子である。
【化４】
2011111611.tif 000056
一般式（Ｍ−２ｂ）において、
ｒは、０、１または２であり、
Ｒ１８、Ｒ１９およびＲ２０は、それぞれ、置換または無置換のアルキル基、置換または無置換のアルコキシ基、ハロゲン原子、水素原子、ヒドロキシル基、置換または無置換のカルバモイル基、置換または無置換のスルファモイル基、置換または無置換のアミノ基、ニトロ基、スルホン酸エステル基、置換または無置換のアルキルスルホニル基、置換または無置換のアリールスルホニル基、カルボキシ基、カルボン酸エステル基であり、Ｒ１８、Ｒ１９およびＲ２０は同一でも異なっていてもよく、
Ｒ２１、Ｒ２２およびＲ２３は、それぞれ、水素原子、置換または無置換のアルキル基、置換または無置換のアルケニル基、置換または無置換のアリール基、置換または無置換のアラルキル基、置換または無置換の脂環基、置換または無置換のヘテロ環基であり、Ｒ２１、Ｒ２２およびＲ２３は同一でも異なっていてもよい。
【化５】
2011111611.tif 000057
一般式（Ｃ−１）において、
環Ａ３１、Ａ３２およびＡ３３は、それぞれ、ベンゼン環、２，３−ピリジン環および３，２−ピリジン環からなる群から選択される少なくとも一つであり、且つ、環Ａ３１、Ａ３２およびＡ３３の少なくとも一つは、２，３−ピリジン環または３，２−ピリジン環であり、環Ａ３１、Ａ３２およびＡ３３は同一でも異なっていてもよく、
ａは、０≦ａ≦４を満たし、ｂは、０≦ｂ≦４を満たし、ｃは、０≦ｃ≦４を満たし、且つ、ａ、ｂおよびｃは、０≦ａ＋ｂ＋ｃ≦４を満たし、
ｚは、１≦ｚ≦３を満たす整数であり、
Ｒ３０は、炭素原子数１〜６の直鎖アルキル基である。
【請求項２】
前記水性イエローインクにおける前記イエロー染料（Ｙ−１）と前記イエロー染料（Ｙ−２）との重量比が、イエロー染料（Ｙ−１）：イエロー染料（Ｙ−２）＝６０：４０〜９０：１０である請求項１記載のインクジェット記録用水性インクセット。
【請求項３】
前記マゼンタ染料（Ｍ−２）が、前記マゼンタ染料（Ｍ−２ａ）であり、
前記水性マゼンタインクにおける前記マゼンタ染料（Ｍ−１）と前記マゼンタ染料（Ｍ−２）との重量比が、マゼンタ染料（Ｍ−１）：マゼンタ染料（Ｍ−２）＝６０：４０〜２０：８０である請求項１または２記載のインクジェット記録用水性インクセット。
【請求項４】
前記マゼンタ染料（Ｍ−２）が、前記マゼンタ染料（Ｍ−２ｂ）、Ｃ．Ｉ．アシッドレッド１およびＣ．Ｉ．アシッドレッド２５４からなる群から選択される少なくとも一種の染料であり、
前記水性マゼンタインクにおける前記マゼンタ染料（Ｍ−１）と前記マゼンタ染料（Ｍ−２）との重量比が、マゼンタ染料（Ｍ−１）：マゼンタ染料（Ｍ−２）＝７０：３０〜９０：１０である請求項１または２記載のインクジェット記録用水性インクセット。
【請求項５】
前記シアン着色剤が、さらに、下記のシアン染料（Ｃ−２）を含み、
前記水性シアンインクにおける前記シアン染料（Ｃ−１）と前記シアン染料（Ｃ−２）との重量比が、シアン染料（Ｃ−１）：シアン染料（Ｃ−２）＝７０：３０〜９５：５である請求項１から４のいずれか一項に記載のインクジェット記録用水性インクセット。
シアン染料（Ｃ−２）：一般式（Ｃ−２ａ）で表される染料、一般式（Ｃ−２ｂ）で表される染料、Ｃ．Ｉ．ダイレクトブルー１９９およびＣ．Ｉ．ダイレクトブルー８６からなる群から選択される少なくとも一種の染料
【化６】
2011111611.tif 000058
一般式（Ｃ−２ａ）において、
Ｐｃ（Ｃｕ）は、一般式（Ｐｃ）で表される銅フタロシアニン核であり、
Ｒ３１、Ｒ３２、Ｒ３３およびＲ３４は、それぞれ、−ＳＯ２Ｒａ、−ＳＯ２ＮＲｂＲｃおよび−ＣＯ２Ｒａからなる群から選択される置換基であり、Ｒ３１、Ｒ３２、Ｒ３３およびＲ３４のすべてが同一であることはなく、Ｒ３１、Ｒ３２、Ｒ３３およびＲ３４の少なくとも一つは、イオン性親水性基を置換基として有し、Ｒ３１、Ｒ３２、Ｒ３３およびＲ３４の少なくとも一つは、一般式（Ｐｃ）で表される銅フタロシアニン核中の４つのベンゼン環Ａ、Ｂ、ＣおよびＤのそれぞれに存在し、Ｒａは、置換または無置換のアルキル基であり、Ｒｂは、水素原子、置換または無置換のアルキル基であり、Ｒｃは、置換または無置換のアルキル基であり、
ｋは、０＜ｋ＜８を満たし、ｌは、０＜ｌ＜８を満たし、ｍは、０≦ｍ＜８を満たし、ｎは、０≦ｎ＜８を満たし、且つ、ｋ、ｌ、ｍおよびｎは、４≦ｋ＋ｌ＋ｍ＋ｎ≦８を満たす。
【化７】
2011111611.tif 000059
一般式（Ｃ−２ｂ）において、
Ｐｃ（Ｃｕ）は、一般式（Ｐｃ）で表される銅フタロシアニン核であり、
Ｍ０は、リチウム、ナトリウム、カリウムおよびアンモニウムのいずれかであり、
ｘは、０＜ｘ＜４を満たし、ｙは、０＜ｙ＜４を満たし、且つ、ｘおよびｙは、２≦ｘ＋ｙ≦５を満たし、
ＳＯ３Ｍ０基およびＳＯ２ＮＨ２基は、一般式（Ｐｃ）で表される銅フタロシアニン核中の４つのベンゼン環Ａ、Ｂ、ＣおよびＤのいずれかに存在する。
【化８】
2011111611.tif 000060
【請求項６】
前記水性イエローインク全量に対し、前記イエロー着色剤の総配合量が、２重量％〜６重量％であり、
前記水性マゼンタインク全量に対し、前記マゼンタ着色剤の総配合量が、２重量％〜６重量％であり、
前記水性シアンインク全量に対し、前記シアン着色剤の総配合量が、２重量％〜６重量％である請求項１から５のいずれか一項に記載のインクジェット記録用水性インクセット。
【請求項７】
水性イエローインク、水性マゼンタインクおよび水性シアンインクそれぞれの収納部を有するインクカートリッジであって、前記水性イエローインク、前記水性マゼンタインクおよび前記水性シアンインクが、請求項１から６のいずれか一項に記載のインクジェット記録用水性インクセットの水性イエローインク、水性マゼンタインクおよび水性シアンインクであることを特徴とするインクカートリッジ。
【請求項８】
インク収容部およびインク吐出手段を含み、前記インク収容部に収容されたインクを前記インク吐出手段によって吐出するインクジェット記録装置であって、前記インク収容部に、請求項７記載のインクカートリッジが収容されていることを特徴とするインクジェット記録装置。
【発明の詳細な説明】
【技術分野】
【０００１】
本発明は、インクジェット記録用水性インクセット、インクカートリッジおよびインクジェット記録装置に関する。
【背景技術】
【０００２】
インクジェット記録用水性インクセットには、一般的に、（１）鮮やかで発色性の良好な画像を与えること；（２）耐光性、耐活性ガス（ＮＯｘ、オゾン等の酸化性ガス、ＳＯｘ等）性、耐水性等の堅牢性に優れていること；（３）インクジェット記録装置に使用される様々な部材と接触しても問題を起こさないこと；（４）保存安定性に優れ、長期間の使用においてもインクジェットヘッドのノズルの目詰まり等を生じにくく、充分な噴射安定性を保つこと；を高いレベルで満足させることが求められている。
【０００３】
特に、イエロー、マゼンタおよびシアンの減法混色により自然画像等を表現する際には、インクジェット記録用水性インクセットとして、前記各色のインクの色相が、標準の色相に近く、しかも鮮明であることが強く求められている。また、記録した自然画像等には、良好な発色性と高い光学濃度とを維持できる良好な長期保存安定性が求められている。したがって、耐光性、耐活性ガス性等の堅牢性に充分に優れているだけでなく、色相のバランスが重要である。すなわち、前記各色のインクそれぞれの退色が同程度であることが重要となる。このため、このような観点から構成されたインクジェット記録用インクセットが提案されている（特許文献１）。
【先行技術文献】
【特許文献】
【０００４】
【特許文献１】特開２０００−１７８４９１号公報
【発明の概要】
【発明が解決しようとする課題】
【０００５】
しかし、従来の技術では、前記各色のインクのいずれかにおいて耐光性、耐活性ガス性等の堅牢性に問題があり、その結果、記録物の劣化を招く場合があった。
【０００６】
一般的にインクジェット記録用水性インクに用いられるマゼンタ染料については、幅広い配合色を得るのに適する色相で且つ鮮やかなものは、耐光性、耐活性ガス性等の堅牢性のレベルが低いことが知られている。他方、耐光性や耐活性ガス性等の堅牢性に優れたマゼンタ染料は、幅広い配合色を出すには不充分な色相であったり、鮮明性に欠けたり、インクジェット記録装置に使用されている様々な部材との接触において問題を起こしやすく、長期安定使用の障害になるという問題があった。
【０００７】
また、一般的にインクジェット記録用水性インクに用いられているフタロシアニン系のシアン染料については、マゼンタ染料やイエロー染料に比べ耐光性に優れるという特徴があるものの、染料の溶解性に起因する問題が生じやすい。例えば、シアンインク製造時の溶解不良により製造トラブルの原因となったり、製品保存時や使用時に不溶解物が析出して種々の問題を生じさせることが多い。特に、前記シアン染料の析出によりインクジェットヘッドのノズルの目詰まりや吐出不良を引きおこし、記録画像の著しい劣化を引き起こす等の問題がある。また、前記シアン染料は、オゾン等の活性ガスにより退色しやすく、光学濃度が大幅に低下することも大きな問題となっている。
【０００８】
そこで、本発明は、保存安定性、発色性、噴射安定性に優れ、且つ、耐光性、耐オゾン性等の堅牢性にも優れ、たとえ退色したとしても、画像の色バランス変化の少ないインクジェット記録用水性インクセットを提供することを目的とする。
【課題を解決するための手段】
【０００９】
前記目的を達成するために、本発明のインクジェット記録用水性インクセットは、
水性イエローインク、水性マゼンタインクおよび水性シアンインクを含むインクジェット記録用水性インクセットであって、
前記水性イエローインクが、イエロー着色剤、水および水溶性有機溶剤を含み、前記イエロー着色剤が、下記のイエロー染料（Ｙ−１）およびイエロー染料（Ｙ−２）を含み、
前記水性マゼンタインクが、マゼンタ着色剤、水および水溶性有機溶剤を含み、前記マゼンタ着色剤が、下記のマゼンタ染料（Ｍ−１）およびマゼンタ染料（Ｍ−２）を含み、
前記水性シアンインクが、シアン着色剤、水および水溶性有機溶剤を含み、前記シアン着色剤が、下記のシアン染料（Ｃ−１）を含むことを特徴とする。
イエロー染料（Ｙ−１）：一般式（Ｙ−１）で表される染料
イエロー染料（Ｙ−２）：Ｃ．Ｉ．ダイレクトイエロー８６、Ｃ．Ｉ．ダイレクトイエロー１３２およびＣ．Ｉ．ダイレクトイエロー１４２からなる群から選択される少なくとも一種の染料
マゼンタ染料（Ｍ−１）：一般式（Ｍ−１）で表される染料
マゼンタ染料（Ｍ−２）：一般式（Ｍ−２ａ）で表される染料、一般式（Ｍ−２ｂ）で表される染料、Ｃ．Ｉ．アシッドレッド１およびＣ．Ｉ．アシッドレッド２５４からなる群から選択される少なくとも一種の染料
シアン染料（Ｃ−１）：一般式（Ｃ−１）で表される染料
【化１】
2011111611.tif 000002
一般式（Ｙ−１）において、
Ｒ１、Ｒ２、Ｙ１およびＹ２は、それぞれ、一価の基であり、Ｒ１、Ｒ２、Ｙ１およびＹ２は同一でも異なっていてもよく、
Ｘ１およびＸ２は、それぞれ、電子吸引性基であり、Ｘ１およびＸ２は同一でも異なっていてもよく、
Ｚ１およびＺ２は、それぞれ、水素原子、置換または無置換のアルキル基、置換または無置換のアルケニル基、置換または無置換のアルキニル基、置換または無置換のアラルキル基、置換または無置換のアリール基、置換または無置換のヘテロ環基であり、Ｚ１およびＺ２は同一でも異なっていてもよく、
Ｍ１は、水素原子またはカチオンである。
【化２】
2011111611.tif 000003
一般式（Ｍ−１）において、
ｎ１は、１または２であり、
３つのＭは、それぞれ、ナトリウムまたはアンモニウムであり、３つのＭは同一でも異なっていてもよく、
Ｒ０は、カルボキシ基で置換された炭素原子数１〜８のモノアルキルアミノ基である。
【化３】
2011111611.tif 000004
一般式（Ｍ−２ａ）において、
Ｒ１１は、水素原子、置換または無置換のアルキル基、置換または無置換のアリール基であり、
Ｒ１２は、水素原子、ハロゲン原子またはシアノ基であり、
Ｒ１３は、水素原子、置換または無置換のアルキル基、置換または無置換のアリール基、置換または無置換のヘテロ環基であり、
Ｒ１４、Ｒ１５、Ｒ１６およびＲ１７は、それぞれ、水素原子、置換または無置換のアルキル基、置換または無置換のアリール基、置換または無置換のヘテロ環基、置換または無置換のスルホニル基、置換または無置換のアシル基であり、Ｒ１４、Ｒ１５、Ｒ１６およびＲ１７は同一でも異なっていてもよいが、Ｒ１４とＲ１５が共に水素原子であることはなく、Ｒ１６とＲ１７が共に水素原子であることはなく、
Ａ１およびＡ２は、双方が置換または無置換の炭素原子であるか、若しくは一方が置換または無置換の炭素原子であり、且つ、他方が炭素原子である。
【化４】
2011111611.tif 000005
一般式（Ｍ−２ｂ）において、
ｒは、０、１または２であり、
Ｒ１８、Ｒ１９およびＲ２０は、それぞれ、置換または無置換のアルキル基、置換または無置換のアルコキシ基、ハロゲン原子、水素原子、ヒドロキシル基、置換または無置換のカルバモイル基、置換または無置換のスルファモイル基、置換または無置換のアミド基、ニトロ基、スルホン酸エステル基、置換または無置換のアルキルスルホニル基、置換または無置換のアリールスルホニル基、カルボキシ基、カルボン酸エステル基であり、Ｒ１８、Ｒ１９およびＲ２０は同一でも異なっていてもよく、
Ｒ２１、Ｒ２２およびＲ２３は、それぞれ、水素原子、置換または無置換のアルキル基、置換または無置換のアルケニル基、置換または無置換のアリール基、置換または無置換のアラルキル基、置換または無置換の脂環基、置換または無置換のヘテロ環基であり、Ｒ２１、Ｒ２２およびＲ２３は同一でも異なっていてもよい。
【化５】
2011111611.tif 000006
一般式（Ｃ−１）において、
環Ａ３１、Ａ３２およびＡ３３は、それぞれ、ベンゼン環、２，３−ピリジン環および３，２−ピリジン環からなる群から選択される少なくとも一つであり、且つ、環Ａ３１、Ａ３２およびＡ３３の少なくとも一つは、２，３−ピリジン環または３，２−ピリジン環であり、環Ａ３１、Ａ３２およびＡ３３は同一でも異なっていてもよく、
ａは、０≦ａ≦４を満たし、ｂは、０≦ｂ≦４を満たし、ｃは、０≦ｃ≦４を満たし、且つ、ａ、ｂおよびｃは、０≦ａ＋ｂ＋ｃ≦４を満たし、
ｚは、１≦ｚ≦３を満たす整数であり、
Ｒ３０は、炭素原子数１〜６の直鎖アルキル基である。
【発明の効果】
【００１０】
本発明のインクジェット記録用水性インクセットを構成する水性イエローインクは、前記イエロー染料（Ｙ−１）と前記イエロー染料（Ｙ−２）とを組み合わせて用いているので、保存安定性、発色性、堅牢性および噴射安定性のすべての性能に優れる。本発明のインクジェット記録用水性インクセットを構成する水性マゼンタインクは、前記マゼンタ染料（Ｍ−１）と前記マゼンタ染料（Ｍ−２）とを組み合わせて用いているので、保存安定性、発色性、堅牢性および噴射安定性のすべての性能に優れる。本発明のインクジェット記録用水性インクセットを構成する水性シアンインクは、前記シアン染料（Ｃ−１）を用いているので、保存安定性、発色性、堅牢性および噴射安定性のすべての性能に優れる。また、本発明のインクジェット記録用水性インクセットは、たとえ退色したとしても、前記各色の水性インクの退色が同程度であるため、画像の色バランス変化が少ない。
【図面の簡単な説明】
【００１１】
【図１】図１は、本発明のインクジェット記録装置の構成の一例を示す概略斜視図である。
【発明を実施するための形態】
【００１２】
本発明のインクジェット記録用水性インクセット（以下、単に「水性インクセット」または「インクセット」と言うことがある）について説明する。本発明の水性インクセットは、水性イエローインク、水性マゼンタインクおよび水性シアンインクを含む。
【００１３】
（水性イエローインク）
前記水性イエローインクについて説明する。前述のとおり、前記水性イエローインクは、イエロー着色剤、水および水溶性有機溶剤を含む。前記イエロー着色剤は、前記イエロー染料（Ｙ−１）および前記イエロー染料（Ｙ−２）を含む。
【００１４】
前述のとおり、前記イエロー染料（Ｙ−１）は、一般式（Ｙ−１）で表される染料である。
【００１５】
一般式（Ｙ−１）において、Ｒ１、Ｒ２、Ｙ１およびＹ２は、それぞれ、一価の基であり、Ｒ１、Ｒ２、Ｙ１およびＹ２は同一でも異なっていてもよい。前記一価の基は、水素原子、または一価の置換基である。前記一価の置換基としては、例えば、ハロゲン原子；アルキル基；シクロアルキル基；アラルキル基；アルケニル基；アルキニル基；アリール基；ヘテロ環基；シアノ基；ヒドロキシル基；ニトロ基；アルコキシ基；アリールオキシ基；シリルオキシ基；ヘテロ環オキシ基；アシルオキシ基；カルバモイルオキシ基；アルコキシカルボニルオキシ基；アリールオキシカルボニルオキシ基；アルキルアミノ基、アリールアミノ基等のアミノ基；アミド基；アシルアミノ基；ウレイド基；アミノカルボニルアミノ基；アルコキシカルボニルアミノ基；アリールオキシカルボニルアミノ基；スルファモイルアミノ基；アルキルスルホニルアミノ基；アリールスルホニルアミノ基；アルキルチオ基；アリールチオ基；ヘテロ環チオ基；スルファモイル基；アルキルスルフィニル基；アリールスルフィニル基；アルキルスルホニル基；アリールスルホニル基；アシル基；アリールオキシカルボニル基；アルコキシカルボニル基；カルバモイル基；ホスフィノ基；ホスフィニル基；ホスフィニルオキシ基；ホスフィニルアミノ基；シリル基；アゾ基；イミド基等があげられる。前記一価の置換基は、さらに置換基を有していてもよい。これらの中でも、好ましい前記一価の置換基は、水素原子、ハロゲン原子、アルキル基、アリール基、ヘテロ環基、シアノ基、アルコキシ基、アミド基、ウレイド基、アルキルスルホニルアミノ基、アリールスルホニルアミノ基、スルファモイル基、アルキルスルホニル基、アリールスルホニル基、カルバモイル基、アルコキシカルボニル基であり、より好ましくは、水素原子、アルキル基、アリール基、シアノ基、アルキルスルホニル基である。
【００１６】
一般式（Ｙ−１）において、前記ハロゲン原子は、塩素原子、臭素原子またはヨウ素原子である。これらの中でも、好ましくは、塩素原子、臭素原子である。
【００１７】
一般式（Ｙ−１）において、前記アルキル基は、置換または無置換のアルキル基を含む。前記置換または無置換のアルキル基は、好ましくは、炭素原子数１〜３０のアルキル基である。前記アルキル基としては、例えば、メチル基、エチル基、ブチル基、ｔｅｒｔ−ブチル基、ｎ−オクチル基、エイコキシ基、２−クロロエチル基、ヒドロキシエチル基、シアノエチル基、４−スルホブチル基等があげられる。前記置換アルキル基の置換基としては、例えば、メチル基、エチル基、プロピル基、イソプロピル基、ｓｅｃ−ブチル基、ｔｅｒｔ−ブチル基、２−エチルへキシル基、２−メチルスルホニルエチル基、３−フェノキシプロピル基、トリフルオロメチル基等の炭素原子数１〜１２の直鎖または分岐鎖アルキル基；炭素原子数７〜１８の直鎖または分岐鎖アラルキル基；炭素原子数２〜１２の直鎖または分岐鎖アルケニル基；炭素原子数２〜１２の直鎖または分岐鎖アルキニル基；シクロペンチル基等の炭素原子数３〜１２の直鎖または分岐鎖シクロアルキル基；炭素原子数３〜１２の直鎖または分岐鎖シクロアルケニル基；塩素原子、臭素原子等のハロゲン原子；フェニル基、４−ｔｅｒｔ−ブチルフェニル基、２，４−ジ−ｔｅｒｔ−アミルフェニル基等のアリール基；イミダゾリル基、ピラゾリル基、トリアゾリル基、２−フリル基、２−チエニル基、２−ピリミジニル基、２−ベンゾチアゾリル基等のヘテロ環基；シアノ基；ヒドロキシル基；ニトロ基；カルボキシ基；アミノ基；メトキシ基、エトキシ基、２−メトキシエトキシ基、２−メチルスルホニルエトキシ基等のアルコキシ基；フェノキシ基、２−メチルフェノキシ基、４−ｔｅｒｔ−ブチルフェノキシ基、３−ニトロフェノキシ基、３−ｔｅｒｔ−ブチルオキシカルボニルフェノキシ基、３−メトキシカルボニルフェニルオキシ基等のアリールオキシ基；アセトアミド基、ベンズアミド基、４−（３−ｔｅｒｔ−ブチル−４−ヒドロキシフェノキシ）ブタンアミド基等のアシルアミノ基；メチルアミノ基、ブチルアミノ基、ジエチルアミノ基、メチルブチルアミノ基等のアルキルアミノ基；フェニルアミノ基、２−クロロアニリノ基等のアリールアミノ基；フェニルウレイド基、メチルウレイド基、Ｎ，Ｎ−ジブチルウレイド基等のウレイド基；Ｎ，Ｎ−ジプロピルスルファモイルアミノ基等のスルファモイルアミノ基；メチルチオ基、オクチルチオ基、２−フェノキシエチルチオ基等のアルキルチオ基；フェニルチオ基、２−ブトキシ−５−ｔｅｒｔ−オクチルフェニルチオ基、２−カルボキシフェニルチオ基等のアリールチオ基；メトキシカルボニルアミノ基等のアルコキシカルボニルアミノ基；メチルスルホニルアミノ基等のアルキルスルホニルアミノ基；フェニルスルホニルアミノ基、ｐ−トルエンスルホニルアミノ基等のアリールスルホニルアミノ基；Ｎ−エチルカルバモイル基、Ｎ，Ｎ−ジブチルカルバモイル基等のカルバモイル基；Ｎ−エチルスルファモイル基、Ｎ，Ｎ−ジプロピルスルファモイル基、Ｎ−フェニルスルファモイル基等のスルファモイル基；メチルスルホニル基、オクチルスルホニル基、フェニルスルホニル基、ｐ−トルエンスルホニル基等のスルホニル基；メトキシカルボニル基、ブチルオキシカルボニル基等のアルコキシカルボニル基；１−フェニルテトラゾール−５−オキシ基、２−テトラヒドロピラニルオキシ基等のヘテロ環オキシ基；フェニルアゾ基、４−メトキシフェニルアゾ基、４−ピバロイルアミノフェニルアゾ基、２−ヒドロキシ−４−プロパノイルフェニルアゾ基等のアゾ基；アセトキシ基等のアシルオキシ基；Ｎ−フェニルカルバモイルオキシ基等のカルバモイルオキシ基；トリメチルシリルオキシ基、ジブチルメチルシリルオキシ基等のシリルオキシ基；フェノキシカルボニルアミノ基等のアリールオキシカルボニルアミノ基；Ｎ−スクシンイミド基、Ｎ−フタルイミド基等のイミド基；２−ベンゾチアゾリルチオ基、２，４−ジ−フェノキシ−１，３，５−トリアゾール−６−チオ基、２−ピリジルチオ基等のヘテロ環チオ基；３−フェノキシプロピルスルフィニル基等のスルフィニル基；フェノキシホスホニル基、オクチルオキシホスホニル基、フェニルホスホニル基等のホスホニル基；フェノキシカルボニル基等のアリールオキシカルボニル基；アセチル基、３−フェニルプロパノイル基、ベンゾイル基等のアシル基；カルボキシ基、スルホ基、ホスホノ基、４級アンモニウム基等のイオン性親水性基等があげられる。前記置換アルキル基の置換基である前記アルキル基、前記アラルキル基、前記アルケニル基、前記アルキニル基、前記シクロアルキル基および前記シクロアルケニル基は、染料の溶解性および水性イエローインクの安定性を向上させる観点から、分岐鎖を有するものが好ましく、不斉炭素を有するものが特に好ましい。これらの中でも、好ましい前記置換アルキル基の置換基は、ヒドロキシル基、アルコキシ基、シアノ基、ハロゲン原子、スルホ基（塩の形でもよい）、カルボキシ基（塩の形でもよい）である。
【００１８】
一般式（Ｙ−１）において、前記シクロアルキル基は、置換または無置換のシクロアルキル基を含む。前記置換または無置換のシクロアルキル基は、好ましくは、炭素原子数５〜３０のシクロアルキル基である。前記置換シクロアルキル基の置換基としては、例えば、前記置換アルキル基の置換基としてあげたような置換基と同じものがあげられる。前記シクロアルキル基としては、例えば、シクロへキシル基、シクロペンチル基、４−ｎ−ドデシルシクロへキシル基等があげられる。
【００１９】
一般式（Ｙ−１）において、前記アラルキル基は、置換または無置換のアラルキル基を含む。前記置換または無置換のアラルキル基は、好ましくは、炭素原子数７〜３０のアラルキル基である。前記置換アラルキル基の置換基としては、例えば、前記置換アルキル基の置換基としてあげたような置換基と同じものがあげられる。前記アラルキル基としては、例えば、ベンジル基、２−フェネチル基等があげられる。
【００２０】
一般式（Ｙ−１）において、前記アルケニル基は、直鎖、分岐、環状の置換または無置換のアルケニル基である。前記アルケニル基は、好ましくは、炭素原子数２〜３０の置換または無置換のアルケニル基である。前記置換アルケニル基の置換基としては、例えば、前記置換アルキル基の置換基としてあげたような置換基と同じものがあげられる。前記アルケニル基としては、例えば、ビニル基、アリル基、プレニル基、ゲラニル基、オレイル基、２−シクロペンテン−１−イル基、シクロヘキセン−１−イル基等があげられる。
【００２１】
一般式（Ｙ−１）において、前記アルキニル基は、炭素原子数２〜３０の置換または無置換のアルキニル基である。前記置換アルキニル基の置換基としては、例えば、前記置換アルキル基の置換基としてあげたような置換基と同じものがあげられる。前記アルキニル基としては、例えば、エチニル基、プロパルギル基等がある。
【００２２】
一般式（Ｙ−１）において、前記アリール基は、炭素原子数６〜３０の置換または無置換のアリール基である。前記アリール基としては、例えば、フェニル基、ｐ−トリル基、ナフチル基、ｍ−クロロフェニル基、ｏ−ヘキサデカノイルアミノフェニル基等があげられる。前記置換アリール基の置換基としては、例えば、前記置換アルキル基の置換基としてあげたような置換基と同じものがあげられる。
【００２３】
一般式（Ｙ−１）において、前記へテロ環基は、５または６員の置換または無置換の、芳香族または非芳香族のヘテロ環化合物から一個の水素原子を取り除いた一価の基であり、それらは更に縮環していてもよい。前記ヘテロ環基は、好ましくは、炭素原子数３〜３０の５または６員の芳香族のヘテロ環基である。前記置換へテロ環基の置換基としては、例えば、前記置換アルキル基の置換基としてあげたような置換基と同じものがあげられる。前記へテロ環基としては、置換位置を限定しないと、例えば、ピリジン基、ピラジン基、ピリダジン基、ピリミジン基、トリアジン基、キノリン基、イソキノリン基、キナゾリン基、シンノリン基、フタラジン基、キノキサリン基、ピロール基、インドール基、フラン基、ベンゾフラン基、チオフェン基、ベンゾチオフェン基、ピラゾール基、イミダゾール基、ベンズイミダゾール基、トリアゾール基、オキサゾール基、ベンズオキサゾール基、チアゾール基、ベンゾチアゾール基、イソチアゾール基、ベンズイソチアゾール基、チオジアゾール基、イソオキサゾール基、ベンズイソオキサゾール基、ピロリジン基、ピペリジン基、ピペラジン基、イミダゾリジン基、チアゾリン基等があげられる。
【００２４】
一般式（Ｙ−１）において、前記アルコキシ基は、置換または無置換のアルコキシ基を含む。前記置換または無置換のアルコキシ基は、好ましくは、炭素原子数１〜３０のアルコキシ基である。前記置換アルコキシ基の置換基としては、例えば、前記置換アルキル基の置換基としてあげたような置換基と同じものがあげられる。前記アルコキシ基としては、例えば、メトキシ基、エトキシ基、イソプロポキシ基、ｎ−オクチルオキシ基、メトキシエトキシ基、ヒドロキシエトキシ基、３−カルボキシプロポキシ基等があげられる。
【００２５】
一般式（Ｙ−１）において、前記アリールオキシ基は、好ましくは、炭素原子数６〜３０の置換または無置換のアリールオキシ基である。前記置換アリールオキシ基の置換基としては、例えば、前記置換アルキル基の置換基としてあげたような置換基と同じものがあげられる。前記アリールオキシ基としては、例えば、フェノキシ基、２−メチルフェノキシ基、４−ｔｅｒｔ−ブチルフェノキシ基、３−ニトロフェノキシ基、２−テトラデカノイルアミノフェノキシ基等があげられる。
【００２６】
一般式（Ｙ−１）において、前記シリルオキシ基とは、好ましくは、炭素原子数３〜２０のシリルオキシ基である。前記シリルオキシ基としては、例えば、トリメチルシリルオキシ基、ｔｅｒｔ−ブチルジメチルシリルオキシ基等があげられる。
【００２７】
一般式（Ｙ−１）において、前記へテロ環オキシ基は、好ましくは、炭素原子数２〜３０の置換または無置換のヘテロ環オキシ基である。前記置換ヘテロ環オキシ基の置換基としては、例えば、前記置換アルキル基の置換基としてあげたような置換基と同じものがあげられる。前記へテロ環オキシ基としては、例えば、１−フェニルテトラゾール−５−オキシ基、２−テトラヒドロピラニルオキシ基等があげられる。
【００２８】
一般式（Ｙ−１）において、前記アシルオキシ基は、好ましくは、ホルミルオキシ基、炭素原子数２〜３０の置換または無置換のアルキルカルボニルオキシ基、炭素原子数６〜３０の置換または無置換のアリールカルボニルオキシ基である。前記置換アルキルカルボニルオキシ基および前記置換アリールカルボニルオキシ基の置換基としては、例えば、前記置換アルキル基の置換基としてあげたような置換基と同じものがあげられる。前記アシルオキシ基としては、例えば、ホルミルオキシ基、アセチルオキシ基、ピバロイルオキシ基、ステアロイルオキシ基、ベンゾイルオキシ基、ｐ−メトキシフェニルカルボニルオキシ基等があげられる。
【００２９】
一般式（Ｙ−１）において、前記カルバモイルオキシ基は、好ましくは、炭素原子数１〜３０の置換または無置換のカルバモイルオキシ基である。前記置換カルバモイルオキシ基の置換基としては、例えば、前記置換アルキル基の置換基としてあげたような置換基と同じものがあげられる。前記カルバモイルオキシ基としては、例えば、Ｎ，Ｎ−ジメチルカルバモイルオキシ基、Ｎ，Ｎ−ジエチルカルバモイルオキシ基、モルホリノカルボニルオキシ基、Ｎ，Ｎ−ジ−ｎ−オクチルアミノカルボニルオキシ基、Ｎ−ｎ−オクチルカルバモイルオキシ基等があげられる。
【００３０】
一般式（Ｙ−１）において、前記アルコキシカルボニルオキシ基は、好ましくは、炭素原子数２〜３０の置換または無置換のアルコキシカルボニルオキシ基である。前記置換アルコキシカルボニルオキシ基の置換基としては、例えば、前記置換アルキル基の置換基としてあげたような置換基と同じものがあげられる。前記アルコキシカルボニルオキシ基としては、例えば、メトキシカルボニルオキシ基、エトキシカルボニルオキシ基、ｔｅｒｔ−ブトキシカルボニルオキシ基、ｎ−オクチルカルボニルオキシ基等があげられる。
【００３１】
一般式（Ｙ−１）において、前記アリールオキシカルボニルオキシ基は、好ましくは、炭素原子数７〜３０の置換または無置換のアリールオキシカルボニルオキシ基である。前記アリールオキシカルボニルオキシ基の置換基としては、例えば、前記置換アルキル基の置換基としてあげたような置換基と同じものがあげられる。前記アリールオキシカルボニルオキシ基としては、例えば、フェノキシカルボニルオキシ基、ｐ−メトキシフェノキシカルボニルオキシ基、ｐ−ｎ−ヘキサデシルオキシフェノキシカルボニルオキシ基等があげられる。
【００３２】
一般式（Ｙ−１）において、前記アミノ基は、好ましくは、炭素原子数１〜３０の置換または無置換のアルキルアミノ基、炭素原子数６〜３０の置換または無置換のアリールアミノ基である。前記置換アルキルアミノ基および前記置換アリールアミノ基の置換基としては、例えば、前記置換アルキル基の置換基としてあげたような置換基と同じものがあげられる。前記アミノ基としては、例えば、アミノ基、メチルアミノ基、ジメチルアミノ基、アニリノ基、Ｎ−メチル−アニリノ基、ジフェニルアミノ基、ヒドロキシエチルアミノ基、カルボキシエチルアミノ基、スルフォエチルアミノ基、３，５−ジカルボキシアニリノ基等があげられる。
【００３３】
一般式（Ｙ−１）において、前記アシルアミノ基は、好ましくは、ホルミルアミノ基、炭素原子数１〜３０の置換または無置換のアルキルカルボニルアミノ基、炭素原子数６〜３０の置換または無置換のアリールカルボニルアミノ基である。前記置換アルキルカルボニルアミノ基および前記置換アリールカルボニルアミノ基の置換基としては、例えば、前記置換アルキル基の置換基としてあげたような置換基と同じものがあげられる。前記アシルアミノ基としては、例えば、ホルミルアミノ基、アセチルアミノ基、ピバロイルアミノ基、ラウロイルアミノ基、ベンゾイルアミノ基、３，４，５−トリ−ｎ−オクチルオキシフェニルカルボニルアミノ基等があげられる。
【００３４】
一般式（Ｙ−１）において、前記アミノカルボニルアミノ基は、好ましくは、炭素原子数１〜３０の置換または無置換のアミノカルボニルアミノ基である、前記置換アミノカルボニルアミノ基の置換基としては、例えば、前記置換アルキル基の置換基としてあげたような置換基と同じものがあげられる。前記アミノカルボニルアミノ基としては、例えば、カルバモイルアミノ基、Ｎ，Ｎ−ジメチルアミノカルボニルアミノ基、Ｎ，Ｎ−ジエチルアミノカルボニルアミノ基、モルホリノカルボニルアミノ基等があげられる。
【００３５】
一般式（Ｙ−１）において、前記アルコキシカルボニルアミノ基は、好ましくは、炭素原子数２〜３０の置換または無置換のアルコキシカルボニルアミノ基である。前記置換アルコキシカルボニルアミノ基の置換基としては、例えば、前記置換アルキル基の置換基としてあげたような置換基と同じものがあげられる。前記アルコキシカルボニルアミノ基としては、例えば、メトキシカルボニルアミノ基、エトキシカルボニルアミノ基、ｔｅｒｔ−ブトキシカルボニルアミノ基、ｎ−オクタデシルオキシカルボニルアミノ基、Ｎ−メチル−メトキシカルボニルアミノ基等があげられる。
【００３６】
一般式（Ｙ−１）において、前記アリールオキシカルボニルアミノ基は、好ましくは、炭素原子数７〜３０の置換または無置換のアリールオキシカルボニルアミノ基である。前記置換アリールオキシカルボニルアミノ基の置換基としては、例えば、前記置換アルキル基の置換基としてあげたような置換基と同じものがあげられる。前記アリールオキシカルボニルアミノ基としては、例えば、フェノキシカルボニルアミノ基、ｐ−クロロフェノキシカルボニルアミノ基、ｍ−ｎ−オクチルオキシフェノキシカルボニルアミノ基等があげられる。
【００３７】
一般式（Ｙ−１）において、前記スルファモイルアミノ基は、好ましくは、炭素原子数０〜３０の置換または無置換のスルファモイルアミノ基である。前記置換スルファモイルアミノ基の置換基としては、例えば、前記置換アルキル基の置換基としてあげたような置換基と同じものがあげられる。前記スルファモイルアミノ基としては、例えば、スルファモイルアミノ基、Ｎ，Ｎ−ジメチルアミノスルホニルアミノ基、Ｎ−ｎ−オクチルアミノスルホニルアミノ基等があげられる。
【００３８】
一般式（Ｙ−１）において、前記アルキルスルホニルアミノ基は、好ましくは、炭素原子数１〜３０の置換または無置換のアルキルスルホニルアミノ基である。前記置換アルキルスルホニルアミノ基の置換基としては、例えば、前記置換アルキル基の置換基としてあげたような置換基と同じものがあげられる。前記アルキルスルホニルアミノ基としては、例えば、メチルスルホニルアミノ基、ブチルスルホニルアミノ基等があげられる。
【００３９】
一般式（Ｙ−１）において、前記アリールスルホニルアミノ基は、好ましくは、炭素原子数６〜３０の置換または無置換のアリールスルホニルアミノ基である。前記置換アリールスルホニルアミノ基の置換基としては、例えば、前記置換アルキル基の置換基としてあげたような置換基と同じものがあげられる。前記アリールスルホニルアミノ基としては、例えば、フェニルスルホニルアミノ基、２，３，５−トリクロロフェニルスルホニルアミノ基、ｐ−メチルフェニルスルホニルアミノ基等があげられる。
【００４０】
一般式（Ｙ−１）において、前記アルキルチオ基は、好ましくは、炭素原子数１〜３０の置換または無置換のアルキルチオ基である。前記置換アルキルチオ基の置換基としては、例えば、前記置換アルキル基の置換基としてあげたような置換基と同じものがあげられる。前記アルキルチオ基としては、例えば、メチルチオ基、エチルチオ基、ｎ−へキシルチオ基等があげられる。
【００４１】
一般式（Ｙ−１）において、前記アリールチオ基は、好ましくは、炭素原子数６〜３０の置換または無置換のアリールチオ基である。前記置換アリールチオ基の置換基としては、例えば、前記置換アルキル基の置換基としてあげたような置換基と同じものがあげられる。前記アリールチオ基としては、例えば、フェニルチオ基、ｐ−クロロフェニルチオ基、ｍ−メトキシフェニルチオ基等があげられる。
【００４２】
一般式（Ｙ−１）において、前記ヘテロ環チオ基は、好ましくは、炭素原子数２〜３０の置換または無置換のヘテロ環チオ基である。前記置換ヘテロ環チオ基の置換基としては、例えば、前記置換アルキル基の置換基としてあげたような置換基と同じものがあげられる。前記ヘテロ環チオ基としては、例えば、２−ベンゾチアゾリルチオ基、１−フェニルテトラゾール−５−イルチオ基等があげられる。
【００４３】
一般式（Ｙ−１）において、前記スルファモイル基は、好ましくは、炭素原子数０〜３０の置換または無置換のスルファモイル基である。前記置換スルファモイル基の置換基としては、例えば、前記置換アルキル基の置換基としてあげたような置換基と同じものがあげられる。前記スルファモイル基としては、例えば、Ｎ−エチルスルファモイル基、Ｎ−（３−ドデシルオキシプロピル）スルファモイル基、Ｎ，Ｎ−ジメチルスルファモイル基、Ｎ−アセチルスルファモイル基、Ｎ−ベンゾイルスルファモイル基、Ｎ−（Ｎ’−フェニルカルバモイル）スルファモイル基等があげられる。
【００４４】
一般式（Ｙ−１）において、前記アルキルスルフィニル基は、好ましくは、炭素原子数１〜３０の置換または無置換のアルキルスルフィニル基である。前記置換アルキルスルフィニル基の置換基としては、例えば、前記置換アルキル基の置換基としてあげたような置換基と同じものがあげられる。前記アルキルスルフィニル基としては、例えば、メチルスルフィニル基、エチルスルフィニル基等があげられる。
【００４５】
一般式（Ｙ−１）において、前記アリールスルフィニル基は、好ましくは、炭素原子数６〜３０の置換または無置換のアリールスルフィニル基である。前記置換アリールスルフィニル基の置換基としては、例えば、前記置換アルキル基の置換基としてあげたような置換基と同じものがあげられる。前記アリールスルフィニル基としては、例えば、フェニルスルフィニル基、ｐ−メチルスルフィニル基等があげられる。
【００４６】
一般式（Ｙ−１）において、前記アルキルスルホニル基は、好ましくは、炭素原子数１〜３０の置換または無置換のアルキルスルホニル基である。前記置換アルキルスルホニル基の置換基としては、例えば、前記置換アルキル基の置換基としてあげたような置換基と同じものがあげられる。前記アルキルスルホニル基としては、例えば、メチルスルホニル基、エチルスルホニル基等があげられる。
【００４７】
一般式（Ｙ−１）において、前記アリールスルホニル基は、好ましくは、炭素原子数６〜３０の置換または無置換のアリールスルホニル基である。前記置換アリールスルホニル基の置換基としては、例えば、前記置換アルキル基の置換基としてあげたような置換基と同じものがあげられる。前記アリールスルホニル基としては、例えば、フェニルスルホニル基、ｐ−トルエンスルホニル基等があげられる。
【００４８】
一般式（Ｙ−１）において、前記アシル基は、好ましくは、ホルミル基、炭素原子数２〜３０の置換または無置換のアルキルカルボニル基、炭素原子数７〜３０の置換または無置換のアリールカルボニル基、炭素原子数４〜３０の置換または無置換の炭素原子でカルボニル基と結合しているヘテロ環カルボニル基である。前記置換アルキルカルボニル基、前記置換アリールカルボニル基、前記置換ヘテロ環カルボニル基の置換基としては、例えば、前記置換アルキル基の置換基としてあげたような置換基と同じものがあげられる。前記アシル基としては、例えば、アセチル基、ピバロイル基、２−クロロアセチル基、ステアロイル基、ベンゾイル基、ｐ−ｎ−オクチルオキシカルボニル基、２−ピリジルカルボニル基、２−フリルカルボニル基等があげられる。
【００４９】
一般式（Ｙ−１）において、前記アリールオキシカルボニル基は、好ましくは、炭素原子数７〜３０の置換または無置換のアリールオキシカルボニル基である。前記アリールオキシカルボニル基の置換基としては、例えば、前記置換アルキル基の置換基としてあげたような置換基と同じものがあげられる。前記アリールオキシカルボニル基としては、例えば、フェノキシカルボニル基、ｏ−クロロフェノキシカルボニル基、ｍ−ニトロフェノキシカルボニル基、ｐ−ｔｅｒｔ−ブチルフェノキシカルボニル基等があげられる。
【００５０】
一般式（Ｙ−１）において、前記アルコキシカルボニル基は、好ましくは、炭素原子数２〜３０の置換または無置換のアルコキシカルボニル基である。前記置換アルコキシカルボニル基の置換基としては、例えば、前記置換アルキル基の置換基としてあげたような置換基と同じものがあげられる。前記アルコキシカルボニル基としては、例えば、メトキシカルボニル基、エトキシカルボニル基、ｔｅｒｔ−ブトキシカルボニル基、ｎ−オクタデシルオキシカルボニル基等があげられる。
【００５１】
一般式（Ｙ−１）において、前記カルバモイル基は、好ましくは、炭素原子数１〜３０の置換または無置換のカルバモイル基である。前記置換カルバモイル基の置換基としては、例えば、前記置換アルキル基の置換基としてあげたような置換基と同じものがあげられる。前記カルバモイル基としては、例えば、カルバモイル基、Ｎ−メチルカルバモイル基、Ｎ，Ｎ−ジメチルカルバモイル基、Ｎ，Ｎ−ジ−ｎ−オクチルカルバモイル基、Ｎ−（メチルスルホニル）カルバモイル基等があげられる。
【００５２】
一般式（Ｙ−１）において、前記ホスフィノ基は、好ましくは、炭素原子数２〜３０の置換または無置換のホスフィノ基である。前記置換ホスフィノ基の置換基としては、例えば、前記置換アルキル基の置換基としてあげたような置換基と同じものがあげられる。前記ホスフィノ基としては、例えば、ジメチルホスフィノ基、ジフェニルホスフィノ基、メチルフェノキシホスフィノ基等があげられる。
【００５３】
一般式（Ｙ−１）において、前記ホスフィニル基は、好ましくは、炭素原子数２〜３０の置換または無置換のホスフィニル基である。前記置換ホスフィニル基の置換基としては、例えば、前記置換アルキル基の置換基としてあげたような置換基と同じものがあげられる。前記ホスフィニル基としては、例えば、ホスフィニル基、ジオクチルオキシホスフィニル基、ジエトキシホスフィニル基等があげられる。
【００５４】
一般式（Ｙ−１）において、前記ホスフィニルオキシ基は、好ましくは、炭素原子数２〜３０の置換または無置換のホスフィニルオキシ基である。前記置換ホスフィニルオキシ基の置換基としては、例えば、前記アルキル基の置換基としてあげたような置換基と同じものがあげられる。前記ホスフィニルオキシ基としては、例えば、ジフェノキシホスフィニルオキシ基、ジオクチルオキシホスフィニルオキシ基等があげられる。
【００５５】
一般式（Ｙ−１）において、前記ホスフィニルアミノ基は、好ましくは、炭素原子数２〜３０の置換または無置換のホスフィニルアミノ基である。前記ホスフィニルアミノ基の置換基としては、例えば、前記置換アルキル基の置換基としてあげたような置換基と同じものがあげられる。前記ホスフィニルアミノ基としては、例えば、ジメトキシホスフィニルアミノ基、ジメチルアミノホスフィニルアミノ基等があげられる。
【００５６】
一般式（Ｙ−１）において、前記シリル基は、好ましくは、炭素原子数３〜３０の置換または無置換のシリル基である。前記置換シリル基の置換基としては、例えば、前記置換アルキル基の置換基としてあげたような置換基と同じものがあげられる。前記シリル基としては、例えば、トリメチルシリル基、ｔｅｒｔ−ブチルジメチルシリル基、フェニルジメチルシリル基等があげられる。
【００５７】
一般式（Ｙ−１）において、前記アゾ基としては、例えば、フェニルアゾ基、４−メトキシフェニルアゾ基、４−ピバロイルアミノフェニルアゾ基、２−ヒドロキシ−４−プロパノイルフェニルアゾ基等があげられる。
【００５８】
一般式（Ｙ−１）において、前記イミド基としては、例えば、Ｎ−スクシンイミド基、Ｎ−フタルイミド基等があげられる。
【００５９】
一般式（Ｙ−１）において、Ｘ１およびＸ２は、それぞれ、電子吸引性基であり、Ｘ１およびＸ２は同一でも異なっていてもよい。前記Ｘ１およびＸ２としては、例えば、アシル基、アシルオキシ基、カルバモイル基、アルコキシカルボニル基、アリールオキシカルボニル基、シアノ基、ニトロ基、ジアルキルホスホノ基、ジアリールホスホノ基、ジアリールホスフィニル基、アルキルスルフィニル基、アリールスルフィニル基、アルキルスルホニル基、アリールスルホニル基、スルホニルオキシ基、アシルチオ基、スルファモイル基、チオシアネート基、チオカルボニル基、ハロゲン化アルキル基、ハロゲン化アルコキシ基、ハロゲン化アリールオキシ基、ハロゲン化アルキルアミノ基、ハロゲン化アルキルチオ基、他の電子吸引性基で置換されたアリール基、ヘテロ環基、ハロゲン原子、アゾ基、セレノシアネート基等があげられる。
【００６０】
一般式（Ｙ−１）において、前記Ｘ１およびＸ２は、好ましくは、炭素原子数２〜１２のアシル基、炭素原子数２〜１２のアシルオキシ基、炭素原子数１〜１２のカルバモイル基、炭素原子数２〜１２のアルコキシカルボニル基、炭素原子数７〜１８のアリールオキシカルボニル基、シアノ基、ニトロ基、炭素原子数１〜１２のアルキルスルフィニル基、炭素原子数６〜１８のアリールスルフィニル基、炭素原子数１〜１２のアルキルスルホニル基、炭素原子数６〜１８のアリールスルホニル基、炭素原子数０〜１２のスルファモイル基、炭素原子数１〜１２のハロゲン化アルキル基、炭素原子数１〜１２のハロゲン化アルコキシ基、炭素原子数１〜１２のハロゲン化アルキルチオ基、炭素原子数７〜１８のハロゲン化アリールオキシ基、２つ以上の他の電子吸引性基で置換された炭素原子数７〜１８のアリール基、窒素原子、酸素原子、またはイオウ原子を有する５〜８員環で炭素原子数１〜１８のヘテロ環基である。
【００６１】
一般式（Ｙ−１）において、Ｚ１およびＺ２は、それぞれ、水素原子、置換または無置換のアルキル基、置換または無置換のアルケニル基、置換または無置換のアルキニル基、置換または無置換のアラルキル基、置換または無置換のアリール基、置換または無置換のヘテロ環基であり、Ｚ１およびＺ２は同一でも異なっていてもよい。前記アルキル基、前記アルケニル基、前記アルキニル基、前記アラルキル基、前記アリール基および前記ヘテロ環基は、前記Ｒ１、Ｒ２、Ｙ１およびＹ２におけるのと同様である。
【００６２】
一般式（Ｙ−１）において、Ｍ１は、水素原子またはカチオンである。前記カチオンは、アルカリ金属イオン、アンモニウムイオンまたは第４級アンモニウムイオンである。前記カチオンは、好ましくは、Ｌｉ、Ｎａ、Ｋ、ＮＨ４、ＮＲ４である。ここで、前記Ｒ４におけるＲは、アルキル基またはアリール基であり、前記Ｒ１、Ｒ２、Ｙ１およびＹ２におけるのと同様である。これらの中でも、前記カチオンは、Ｌｉ、Ｎａ、Ｋ、ＮＨ４であることが好ましい。
【００６３】
一般式（Ｙ−１）で表される染料の好ましい置換基の組み合わせとしては、置換基の少なくとも１つが前記の好ましい基であることが好ましく、より多くの置換基が前記の好ましい基であることがより好ましく、全ての置換基が前記の好ましい基であることが最も好ましい。
【００６４】
一般式（Ｙ−１）で表される染料の特に好ましい置換基の組み合わせは、つぎの（イ）〜（ホ）を含む。
【００６５】
（イ）Ｒ１、Ｒ２は、同一でも異なっていてもよく、好ましくは、置換または無置換の総炭素原子数１〜１２のアルキル基、置換または無置換の総炭素原子数６〜１８のアリール基、置換または無置換の総炭素原子数４〜１２のヘテロ環基であり、より好ましくは、総炭素原子数１〜８の直鎖または分岐鎖アルキル基であり、さらに好ましくは、２級または３級のアルキル基であり、最も好ましくは、ｔｅｒｔ−ブチル基である。
【００６６】
（ロ）Ｘ１、Ｘ２は、それぞれ、電子吸引性基であり、同一でも異なっていてもよく、好ましくは、シアノ基、炭素原子数１〜１２のアルキルスルホニル基、炭素原子数６〜１８のアリールスルホニル基、炭素原子数０〜１２のスルファモイル基であり、より好ましくは、シアノ基、炭素原子数１〜１２のアルキルスルホニル基である。
【００６７】
（ハ）Ｙ１、Ｙ２は、同一でも異なっていてもよく、好ましくは、水素原子、置換または無置換の総炭素原子数１〜１２のアルキル基、置換または無置換の総炭素原子数６〜１８のアリール基、置換または無置換の総炭素原子数４〜１２のヘテロ環基であり、より好ましくは、水素原子、置換または無置換のアルキル基であり、最も好ましくは、水素原子である。
【００６８】
（ニ）Ｚ１、Ｚ２は、同一でも異なっていてもよく、好ましくは、置換または無置換の総炭素原子数１〜１２のアルキル基、置換または無置換の総炭素原子数６〜１８のアリール基、置換または無置換の総炭素原子数４〜１２のヘテロ環基であり、より好ましくは、置換または無置換のアリール基、置換または無置換のヘテロ環基であり、特に好ましくは、置換アリール基である。
【００６９】
（ホ）Ｍ１は、好ましくは、水素原子、アルカリ金属イオン、アンモニウムイオン、第４級アンモニウムイオンであり、より好ましくは、水素原子、Ｌｉ、Ｎａ、Ｋ、ＮＨ４である。
【００７０】
前記染料（Ｙ−１）の好ましい具体例としては、化学式（Ｙ−１ａ）〜（Ｙ−１ｅ）で表される化合物があげられる。
【００７１】
【化６】
2011111611.tif 000007
【００７２】
【化７】
2011111611.tif 000008
【００７３】
【化８】
2011111611.tif 000009
【００７４】
【化９】
2011111611.tif 000010
【００７５】
【化１０】
2011111611.tif 000011
【００７６】
前記イエロー染料（Ｙ−１）の配合量は、特に制限されない。水性イエローインクに前記イエロー染料（Ｙ−１）を含ませることで、耐オゾン性および耐光性を向上させることができる。前記イエロー染料（Ｙ−１）の配合量は、前記水性イエローインク全量に対し、例えば、０．１重量％〜１０重量％であり、好ましくは、１．２重量％〜５．４重量％であり、より好ましくは、１．５重量％〜４．５重量％である。
【００７７】
前述のとおり、前記イエロー染料（Ｙ−２）は、Ｃ．Ｉ．ダイレクトイエロー８６、Ｃ．Ｉ．ダイレクトイエロー１３２およびＣ．Ｉ．ダイレクトイエロー１４２からなる群から選択される少なくとも一種の染料である。
【００７８】
Ｃ．Ｉ．ダイレクトイエロー８６は、例えば、構造式（Ｙ−２ａ）で表される染料である。
【００７９】
【化１１】
2011111611.tif 000012
【００８０】
Ｃ．Ｉ．ダイレクトイエロー１３２は、例えば、構造式（Ｙ−２ｂ）で表される染料である。
【００８１】
【化１２】
2011111611.tif 000013
【００８２】
Ｃ．Ｉ．ダイレクトイエロー１４２は、例えば、構造式（Ｙ−２ｃ）で表される染料である。
【００８３】
【化１３】
2011111611.tif 000014
【００８４】
前記イエロー染料（Ｙ−２）の配合量は、特に制限されない。水性イエローインクに前記イエロー染料（Ｙ−２）を含ませることで、保存安定性を向上させることができる。前記イエロー染料（Ｙ−２）の配合量は、前記水性イエローインク全量に対し、例えば、０．１重量％〜１０重量％であり、好ましくは、０．２重量％〜２．４重量％であり、より好ましくは、０．４重量％〜１．６重量％である。
【００８５】
前記水性イエローインクにおける前記イエロー染料（Ｙ−１）と前記イエロー染料（Ｙ−２）との重量比は、イエロー染料（Ｙ−１）：イエロー染料（Ｙ−２）＝６０：４０〜９０：１０であることが好ましい。前記重量比を前記範囲とすることで、保存安定性と、耐オゾン性および耐光性とが、共に極めて良好な水性イエローインクを得ることができる。
【００８６】
前記イエロー染料（Ｙ−１）と前記イエロー染料（Ｙ−２）との総配合量は、特に制限されないが、前記水性イエローインク全量に対し、２重量％〜６重量％が好ましい。前記総配合量を前記範囲とすることで、保存安定性、発色性、耐オゾン性、耐光性および噴射安定性の全てが、極めて良好な水性イエローインクを得ることができる。
【００８７】
前記イエロー着色剤は、前記イエロー染料（Ｙ−１）および前記イエロー染料（Ｙ−２）に加え、さらに他の染料および顔料等を含んでもよい。
【００８８】
前記水は、イオン交換水または純水であることが好ましい。前記水性イエローインク全量に対する前記水の配合量（水割合）は、例えば、１０重量％〜９０重量％であり、好ましくは、４０重量％〜８０重量％である。前記水割合は、例えば、他の成分の残部としてもよい。
【００８９】
前記水溶性有機溶剤としては、例えば、インクジェットヘッドのノズル先端部における水性イエローインクの乾燥を防止する湿潤剤および被記録媒体上での乾燥速度を調整する浸透剤があげられる。
【００９０】
前記湿潤剤は、特に限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール、アルキレングリコール、グリセリン等の多価アルコール；２−ピロリドン；Ｎ−メチル−２−ピロリドン；１，３−ジメチル−２−イミダゾリジノン等があげられる。前記ポリアルキレングリコールは、例えば、ポリエチレングリコール、ポリプロピレングリコール等があげられる。前記アルキレングリコールは、例えば、エチレングリコール、プロピレングリコール、ブチレングリコール、ジエチレングリコール、トリエチレングリコール、ジプロピレングリコール、トリプロピレングリコール、チオジグリコール、へキシレングリコール等があげられる。これらの湿潤剤は、１種類を単独で用いてもよいし、２種類以上を併用してもよい。これらの中でも、アルキレングリコール、グリセリン等の多価アルコールが好ましい。
【００９１】
前記水性イエローインク全量に対する前記湿潤剤の配合量（湿潤剤割合）は、例えば、０重量％〜９５重量％であり、好ましくは、５重量％〜８０重量％であり、さらに好ましくは、５重量％〜５０重量％である。
【００９２】
前記浸透剤は、例えば、グリコールエーテルがあげられる。前記グリコールエーテルは、例えば、エチレングリコールメチルエーテル、エチレングリコールエチルエーテル、エチレングリコール−ｎ−プロピルエーテル、ジエチレングリコールメチルエーテル、ジエチレングリコールエチルエーテル、ジエチレングリコール−ｎ−プロピルエーテル、ジエチレングリコール−ｎ−ブチルエーテル、ジエチレングリコール−ｎ−へキシルエーテル、トリエチレングリコールメチルエーテル、トリエチレングリコールエチルエーテル、トリエチレングリコール−ｎ−プロピルエーテル、トリエチレングリコール−ｎ−ブチルエーテル、プロピレングリコールメチルエーテル、プロピレングリコールエチルエーテル、プロピレングリコール−ｎ−プロピルエーテル、プロピレングリコール−ｎ−ブチルエーテル、ジプロピレングリコールメチルエーテル、ジプロピレングリコールエチルエーテル、ジプロピレングリコール−ｎ−プロピルエーテル、ジプロピレングリコール−ｎ−ブチルエーテル、トリプロピレングリコールメチルエーテル、トリプロピレングリコールエチルエーテル、トリプロピレングリコール−ｎ−プロピルエーテルおよびトリプロピレングリコール−ｎ−ブチルエーテル等があげられる。前記浸透剤は、１種類を単独で用いてもよく、２種類以上を併用してもよい。
【００９３】
前記水性イエローインク全量に対する前記浸透剤の配合量（浸透剤割合）は、例えば、０重量％〜２０重量％である。前記浸透剤割合を前記範囲とすることで、前記水性イエローインクの被記録媒体への浸透性を、より好適なものとできる。前記浸透剤割合は、好ましくは、０．１重量％〜１５重量％であり、より好ましくは、０．５重量％〜１０重量％である。
【００９４】
前記水性イエローインクは、必要に応じて、さらに、従来公知の添加剤を含んでもよい。前記添加剤としては、例えば、界面活性剤、ｐＨ調整剤、粘度調整剤、表面張力調整剤、防黴剤等があげられる。前記粘度調整剤は、例えば、ポリビニルアルコール、セルロース、水溶性樹脂等があげられる。
【００９５】
前記水性イエローインクは、例えば、イエロー着色剤、水および水溶性有機溶剤と、必要に応じて他の添加成分とを、従来公知の方法で均一に混合し、フィルタ等で不溶解物を除去することにより調製できる。
【００９６】
（水性マゼンタインク）
前記水性マゼンタインクについて説明する。前述のとおり、前記水性マゼンタインクは、マゼンタ着色剤、水および水溶性有機溶剤を含む。前記マゼンタ着色剤は、前記マゼンタ染料（Ｍ−１）および前記マゼンタ染料（Ｍ−２）を含む。
【００９７】
前述のとおり、前記マゼンタ染料（Ｍ−１）は、一般式（Ｍ−１）で表される染料である。
【００９８】
一般式（Ｍ−１）で表される化合物は、３つのＭがすべてナトリウムである化合物（ナトリウム塩）であってもよいし、３つのＭがすべてアンモニウムである化合物（アンモニウム塩）であってよいし、３つのＭの一つまたは二つがナトリウムであり残りがアンモニウムである化合物であってもよい。
前記マゼンタ染料（Ｍ−１）は、単一の前記化合物で構成されていてもよいし、２種以上の前記化合物を含む混合物であってもよい。
前記Ｍは、水性マゼンタインク中で電離して、イオン（Ｎａ＋およびＮＨ４＋の少なくとも一方）となっていてもよい。
【００９９】
前記マゼンタ染料（Ｍ−１）の好ましい具体例としては、表１に示すマゼンタ染料（Ｍ−１ａ）〜（Ｍ−１ｅ）で表される化合物があげられる。
【０１００】
【表１】
2011111611.tif 000015
【０１０１】
前述のとおり、前記マゼンタ染料（Ｍ−２）は、一般式（Ｍ−２ａ）で表される染料、一般式（Ｍ−２ｂ）で表される染料、Ｃ．Ｉ．アシッドレッド１およびＣ．Ｉ．アシッドレッド２５４からなる群から選択される少なくとも一種の染料である。
【０１０２】
一般式（Ｍ−２ａ）において、前記置換または無置換のアルキル基は、好ましくは、炭素原子数１〜６のアルキル基である。前記置換または無置換のアルキル基としては、例えば、メチル基、エチル基、ｎ−ブチル基、イソプロピル基、ｔｅｒｔ−ブチル基、ヒドロキシエチル基、メトキシエチル基、シアノエチル基、トリフルオロメチル基、３−スルホプロピル基、４−スルホブチル基等があげられる。前記置換アルキル基の置換基としては、例えば、ヒドロキシル基；メトキシ基、エトキシ基等のアルコキシ基；シアノ基；フッ素原子、塩素原子、臭素原子、ヨウ素原子等のハロゲン原子；カルボン酸塩、スルホン酸塩等のイオン性親水性基等があげられる。
【０１０３】
一般式（Ｍ−２ａ）において、前記置換または無置換のアリール基は、好ましくは、炭素原子数６〜１２のアリール基である。ただし、置換アリール基の場合、前記炭素原子数は、置換基の炭素原子数を含まないものとする。前記置換または無置換のアリール基としては、例えば、フェニル基、ナフチル基、ｐ−トリル基、ｐ−オクチルフェニル基、メシチル基、ｐ−メトキシフェニル基、ｏ−クロロフェニル基、ｍ−（３−スルホプロピルアミノ）フェニル基等があげられる。前記置換アリール基の置換基としては、例えば、メチル基、エチル基、イソプロピル基、ｔｅｒｔ−ブチル基、ｎ−オクチル基等のアルキル基；前述と同様のアルコキシ基；前述と同様のハロゲン原子；メチルアミノ基、ジメチルアミノ基等のアルキルアミノ基；アミド基；カルバモイル基；スルファモイル基；スルホアミド基；水酸基；メトキシカルボニル基、エトキシカルボニル基等のエステル基；前述と同様のイオン性親水性基等があげられる。
【０１０４】
一般式（Ｍ−２ａ）において、前記ハロゲン原子としては、例えば、フッ素原子、塩素原子、臭素原子、ヨウ素原子等があげられる。
【０１０５】
一般式（Ｍ−２ａ）において、前記置換または無置換のヘテロ環基は、好ましくは、５員または６員環のヘテロ環基である。前記置換または無置換のヘテロ環基としては、例えば、２−ピリジル基、２−チエニル基、２−チアゾリル基、２−ベンゾチアゾリル基、２−フリル基、６−スルホベンゾチアゾリル基、６−スルホン酸塩ベンゾチアゾリル基等があげられる。前記置換ヘテロ環基の置換基としては、例えば、アミド基；カルバモイル基；スルファモイル基；スルホアミド基；水酸基；前述と同様のエステル基；前述と同様のイオン性親水性基等があげられる。
【０１０６】
一般式（Ｍ−２ａ）において、前記置換または無置換のスルホニル基としては、例えば、メチルスルホニル基、フェニルスルホニル基等があげられる。前記置換スルホニル基の置換基としては、例えば、前述と同様の置換または無置換のアルキル基、前述と同様の置換または無置換のアリール基等があげられる。
【０１０７】
一般式（Ｍ−２ａ）において、前記置換または無置換のアシル基は、好ましくは、炭素原子数１〜１２のアシル基である。ただし、置換アシル基の場合、前記炭素原子数は、置換基の炭素原子数を含まないものとする。前記置換または無置換のアシル基としては、例えば、アセチル基、ベンゾイル基、クロロアセチル基等があげられる。前記置換アシル基の置換基としては、例えば、前述と同様のイオン性親水性基等があげられる。
【０１０８】
一般式（Ｍ−２ａ）において、Ａ１およびＡ２は、前述のとおり、双方が置換または無置換の炭素原子であるか、若しくは一方が置換または無置換の炭素原子であり、且つ、他方が窒素原子である。Ａ１およびＡ２の双方が炭素原子である場合が、より優れた性能を発揮できる点で好ましい。Ａ１およびＡ２の炭素原子に結合する置換基としては、例えば、炭素原子数１〜３のアルキル基、カルボキシ基、カルバモイル基、シアノ基等があげられる。
【０１０９】
前述のとおり、一般式（Ｍ−２ａ）において、Ｒ１４とＲ１５とは共に水素原子であることはなく、またＲ１６とＲ１７も共に水素原子であることはない。また、一般式（Ｍ−２ａ）において、スルホン酸基若しくはカルボキシ基の置換数が多くなると前記染料の水溶性が向上する傾向があるので、必要に応じてそれらの置換数を調整することが好ましい。
【０１１０】
前記マゼンタ染料（Ｍ−２ａ）の好ましい態様としては、例えば、一般式（Ｍ−２ａ）において、Ｒ１１がアルキル基、Ｒ１２がシアノ基、Ｒ１３が水素原子若しくは置換または無置換のヘテロ環基、Ｒ１４が水素原子、置換または無置換のヘテロ環基若しくは置換アリール基、Ｒ１５およびＲ１６が、それぞれ、置換ヘテロ環基または置換アリール基、Ｒ１７が水素原子であり、Ａ１が置換されている炭素原子、Ａ２が置換または無置換の炭素原子である態様があげられる。
【０１１１】
前記マゼンタ染料（Ｍ−２ａ）のより好ましい態様としては、例えば、一般式（Ｍ−２ａ）において、Ｒ１１がｔｅｒｔ−ブチル基、Ｒ１２がシアノ基、Ｒ１３が水素原子またはスルホン酸基若しくはそのアルカリ金属塩基で置換されてもよいベンゾチアゾリル基（好ましくは、ベンゾチアゾール−２−イル基）、Ｒ１４が水素原子、スルホン酸基若しくはそのアルカリ金属塩基で置換されてもよいベンゾチアゾリル基（好ましくは、ベンゾチアゾール−２−イル基）またはスルホン酸基若しくはそのアルカリ金属塩基で置換されているトリアルキルフェニル基（好ましくは、メシチル基）、Ｒ１５およびＲ１６が、それぞれ、スルホン酸基若しくはそのアルカリ金属塩基で置換されてもよいモノ、ジ若しくはトリアルキルフェニル基（好ましくは、ｐ−オクチルフェニル基若しくはメシチル基）またはスルホン酸基若しくはそのアルカリ金属塩基で置換されているベンゾチアゾリル基（好ましくは、ベンゾチアゾール−２−イル基）、Ｒ１７が水素原子であり、Ａ１が置換されている炭素原子、Ａ２がシアノ基で置換されてもよい炭素原子である態様である。
【０１１２】
前記マゼンタ染料（Ｍ−２ａ）の好ましい具体例としては、化学式（Ｍ−２ａ−１）〜（Ｍ−２ａ−６）で表される化合物があげられる。
【０１１３】
【化１４】
2011111611.tif 000016
【０１１４】
化学式（Ｍ−２ａ−１）で表される化合物は、一般式（Ｍ−２ａ）において、Ｒ１１がｔｅｒｔ−ブチル基、Ｒ１２がシアノ基、Ｒ１３がベンゾチアゾール−２−イル基、Ｒ１４が水素原子、Ｒ１５およびＲ１６が、それぞれ、ｐ−オクチルフェニル基、Ｒ１７が水素原子であり、Ａ１がメチル基で置換されている炭素原子、Ａ２がシアノ基で置換されている炭素原子である態様である。
【０１１５】
【化１５】
2011111611.tif 000017
【０１１６】
化学式（Ｍ−２ａ−２）で表される化合物は、一般式（Ｍ−２ａ）において、Ｒ１１がｔｅｒｔ−ブチル基、Ｒ１２がシアノ基、Ｒ１３およびＲ１４が、それぞれ、ベンゾチアゾール−２−イル基、Ｒ１５およびＲ１６が、それぞれ、メシチル基、Ｒ１７が水素原子であり、Ａ１がメチル基で置換されている炭素原子、Ａ２が炭素原子である態様である。
【０１１７】
【化１６】
2011111611.tif 000018
【０１１８】
化学式（Ｍ−２ａ−３）で表される化合物は、一般式（Ｍ−２ａ）において、Ｒ１１がｔｅｒｔ−ブチル基、Ｒ１２がシアノ基、Ｒ１３およびＲ１４が、それぞれ、６−スルホナトリウム塩ベンゾチアゾール−２−イル基、Ｒ１５およびＲ１６が、それぞれ、３−スルホナトリウム塩メシチル基、Ｒ１７が水素原子であり、Ａ１がメチル基で置換されている炭素原子、Ａ２が炭素原子である態様である。
【０１１９】
【化１７】
2011111611.tif 000019
【０１２０】
化学式（Ｍ−２ａ−４）で表される化合物は、一般式（Ｍ−２ａ）において、Ｒ１１がｔｅｒｔ−ブチル基、Ｒ１２がシアノ基、Ｒ１３およびＲ１４が、それぞれ、６−スルホリチウム塩ベンゾチアゾール−２−イル基、Ｒ１５およびＲ１６が、それぞれ、２，６−ジエチル−４−メチル−３−スルホリチウム塩フェニル基、Ｒ１７が水素原子であり、Ａ１がメチル基で置換されている炭素原子、Ａ２が炭素原子である態様である。
【０１２１】
【化１８】
2011111611.tif 000020
【０１２２】
化学式（Ｍ−２ａ−５）で表される化合物は、一般式（Ｍ−２ａ）において、Ｒ１１がｔｅｒｔ−ブチル基、Ｒ１２がシアノ基、Ｒ１３およびＲ１４が、それぞれ、６−スルホカリウム塩ベンゾチアゾール−２−イル基、Ｒ１５およびＲ１６が、それぞれ、３−スルホカリウム塩メシチル基、Ｒ１７が水素原子であり、Ａ１がメチル基で置換されている炭素原子、Ａ２が炭素原子である態様である。
【０１２３】
【化１９】
2011111611.tif 000021
【０１２４】
化学式（Ｍ−２ａ−６）で表される化合物は、一般式（Ｍ−２ａ）において、Ｒ１１がｔｅｒｔ−ブチル基、Ｒ１２がシアノ基、Ｒ１３およびＲ１４が６−スルホリチウム塩ベンゾチアゾール−２−イル基、Ｒ１５およびＲ１６が２，６−ジエチル−４−スルホリチウム塩フェニル基、Ｒ１７が水素原子であり、Ａ１がメチル基で置換されている炭素原子、Ａ２が炭素原子である態様である。
【０１２５】
前記マゼンタ染料（Ｍ−２）が、前記マゼンタ染料（Ｍ−２ａ）である場合、前記水性マゼンタインクに前記マゼンタ染料（Ｍ−１）を含ませることで、耐オゾン性、耐光性および噴射安定性を向上させることができる。この場合の前記マゼンタ染料（Ｍ−１）の配合量は、特に制限されないが、前記水性マゼンタインク全量に対し、例えば、０．１重量％〜１０重量％であり、好ましくは、０．４重量％〜３．６重量％であり、より好ましくは、０．８重量％〜３重量％である。
【０１２６】
前記マゼンタ染料（Ｍ−２）が、前記マゼンタ染料（Ｍ−２ａ）である場合、前記水性マゼンタインクに前記マゼンタ染料（Ｍ−２）を含ませることで、発色性、耐オゾン性および耐光性を向上させることができる。この場合の前記マゼンタ染料（Ｍ−２）の配合量は、特に制限されないが、前記水性マゼンタインク全量に対し、例えば、０．１重量％〜１０重量％であり、好ましくは、０．８重量％〜４．８重量％であり、より好ましくは、１．０重量％〜３．２重量％である。
【０１２７】
前記マゼンタ染料（Ｍ−２）が、前記マゼンタ染料（Ｍ−２ａ）である場合、前記水性マゼンタインクにおける前記マゼンタ染料（Ｍ−１）と前記マゼンタ染料（Ｍ−２）との重量比は、マゼンタ染料（Ｍ−１）：マゼンタ染料（Ｍ−２）＝６０：４０〜２０：８０であることが好ましい。前記重量比を前記範囲とすることで、発色性と、噴射安定性とが、共に極めて良好な水性マゼンタインクを得ることができる。
【０１２８】
一般式（Ｍ−２ｂ）において、Ｒ１８、Ｒ１９およびＲ２０における置換または無置換のアルキル基は、好ましくは、総炭素原子数が１〜９のアルキル基である。前記置換または無置換のアルキル基としては、例えば、メチル基、エチル基、ｎ−プロピル基、イソプロピル基、ｎ−ブチル基、トリフルオロメチル基、ジメチルアミノメチル基等があげられる。前記置換アルキル基の置換基としては、例えば、ヒドロキシル基；メトキシ基、エトキシ基等のアルコキシ基；シアノ基；フッ素原子、塩素原子、臭素原子、ヨウ素原子等のハロゲン原子；カルボン酸塩、スルホン酸塩等のイオン性親水性基等があげられる。
【０１２９】
一般式（Ｍ−２ｂ）において、Ｒ１８、Ｒ１９およびＲ２０における置換または無置換のアルコキシ基は、好ましくは、総炭素原子数が１〜９のアルコキシ基である。前記置換または無置換のアルコキシ基としては、例えば、メトキシ基、イソプロポキシ基、ｎ−ブトキシ基等があげられる。
【０１３０】
一般式（Ｍ−２ｂ）において、Ｒ１８、Ｒ１９およびＲ２０におけるハロゲン原子としては、例えば、フッ素原子、塩素原子、臭素原子、ヨウ素原子等があげられる。
【０１３１】
一般式（Ｍ−２ｂ）において、Ｒ１８、Ｒ１９およびＲ２０における置換または無置換のカルバモイル基としては、例えば、カルバモイル基、Ｎ，Ｎ−ジメチルカルバモイル基、フェニルカルバモイル基等があげられる。
【０１３２】
一般式（Ｍ−２ｂ）において、Ｒ１８、Ｒ１９およびＲ２０における置換または無置換のスルファモイル基としては、例えば、スルファモイル基、Ｎ−メチルスルファモイル基、Ｎ−エチルスルファモイル基、Ｎ−エチル−Ｎ−フェニルスルファモイル基、Ｎ，Ｎ−ジメチルスルファモイル基、ｐ−カルボキシフェニルスルファモイル基等があげられる。
【０１３３】
一般式（Ｍ−２ｂ）において、Ｒ１８、Ｒ１９およびＲ２０における置換または無置換のアミノ基としては、例えば、Ｎ−メチルアミノ基、カルバモイルアミノ基、Ｎ，Ｎ−ジエチルアミノ基、アセチルアミノ基等があげられる。
【０１３４】
一般式（Ｍ−２ｂ）において、Ｒ１８、Ｒ１９およびＲ２０におけるスルホン酸エステル基としては、例えば、フェノキシスルホニル基等があげられる。
【０１３５】
一般式（Ｍ−２ｂ）において、Ｒ１８、Ｒ１９およびＲ２０における置換または無置換のアルキルスルホニル基は、好ましくは、総炭素原子数が１〜９のアルキルスルホニル基である。前記置換または無置換のアルキルスルホニル基としては、例えば、ヒドロキシスルホニル基等があげられる。
【０１３６】
一般式（Ｍ−２ｂ）において、Ｒ１８、Ｒ１９およびＲ２０における置換または無置換のアリールスルホニル基は、好ましくは、総炭素原子数が６〜１５のアリールスルホニル基である。前記置換または無置換のアリールスルホニル基としては、例えば、ベンジルスルホニル基等があげられる。
【０１３７】
一般式（Ｍ−２ｂ）において、Ｒ１８、Ｒ１９およびＲ２０におけるカルボン酸エステル基としては、例えば、メトキシカルボニル基等があげられる。
【０１３８】
一般式（Ｍ−２ｂ）において、Ｒ２１、Ｒ２２およびＲ２３における置換または無置換のアルキル基は、好ましくは、総炭素原子数が１〜１８のアルキル基である。前記置換または無置換のアルキル基としては、例えば、エチル基、ｎ−ブチル基、ｎ−オクチル基、エチルヘキシル基、ヒドロキシエチル基、カルボキシプロピル基、カルボキシシクロヘキシルメチル基、１−カルボキシ−２−メルカプトエチル基、１−カルボキシ−２−カルバモイル−エチル基、１−イソプロピル−１−カルボキシメチル基、１，２−ジカルボキシプロピル基等があげられる。前記置換アルキル基の置換基としては、例えば、ヒドロキシル基；メトキシ基、エトキシ基等のアルコキシ基；シアノ基；フッ素原子、塩素原子、臭素原子、ヨウ素原子等のハロゲン原子；カルボン酸塩、スルホン酸塩等のイオン性親水性基等があげられる。
【０１３９】
一般式（Ｍ−２ｂ）において、Ｒ２１、Ｒ２２およびＲ２３における置換または無置換のアルケニル基は、好ましくは、総炭素原子数２〜１８のアルケニル基である。前記置換または無置換のアルケニル基としては、例えば、２−メチル−１−プロペニル基、ビニル基、アリル基等があげられる。
【０１４０】
一般式（Ｍ−２ｂ）において、Ｒ２１、Ｒ２２およびＲ２３における置換または無置換のアリール基としては、例えば、３，４−ジカルボキシフェニル基、４−ブチルフェニル基、４−カルボキシフェニル基等があげられる。前記置換アリール基の置換基としては、例えば、前記置換アルキル基の置換基と同じものがあげられる。
【０１４１】
一般式（Ｍ−２ｂ）において、Ｒ２１、Ｒ２２およびＲ２３における置換または無置換のアラルキル基としては、例えば、ベンジル基、１−カルボキシ−２−フェニル−エチル基、１−カルボキシ−２−ヒドロキシフェニルエチル基、４−カルボキシベンジル基等があげられる。
【０１４２】
一般式（Ｍ−２ｂ）において、Ｒ２１、Ｒ２２およびＲ２３における置換または無置換の脂環基としては、例えば、シクロヘキシル基、４−カルボキシシクロヘキシル基等があげられる。
【０１４３】
一般式（Ｍ−２ｂ）において、Ｒ２１、Ｒ２２およびＲ２３における置換または無置換のヘテロ環基としては、例えば、ピリジル基、チアジアゾリル基、ベンゾチアゾリル基、２，２，６，６−テトラメチルピペリジニル基等があげられる。前記置換ヘテロ環基の置換基としては、例えば、前記置換アルキル基の置換基と同じものがあげられる。
【０１４４】
一般式（Ｍ−２ｂ）において、Ｒ２１、Ｒ２２およびＲ２３としては、少なくとも一つが１〜４個のカルボキシ基またはスルファモイル基で置換されているアルキル基、アルケニル基、アリール基、脂環基、アラルキル基若しくはヘテロ環基であってもよい。
【０１４５】
一般式（Ｍ−２ｂ）において、Ｒ２１およびＲ２２は、それぞれ、水素原子または３置換フェニル基であってもよく、Ｒ２１およびＲ２２は同一でも異なっていてもよい。ここで、前記３置換フェニル基の三つの置換基は、それぞれ、水素原子、ハロゲン原子、水酸基、総炭素原子数が１〜９の置換または無置換のアルキル基、総炭素原子数が１〜９の置換または無置換のアルコキシ基、置換または無置換のカルバモイル基、置換または無置換のスルファモイル基、置換または無置換のアミノ基、ニトロ基、スルホン酸エステル基、カルボン酸エステル基であり、前記三つの置換基は、同一でも異なっていてもよい。
【０１４６】
前記マゼンタ染料（Ｍ−２ｂ）の好ましい態様としては、例えば、一般式（Ｍ−２ｂ）において、Ｒ２１、Ｒ２２およびＲ２３の少なくとも一つが、１〜４個のカルボキシ基またはスルファモイル基で置換されているアルキル基、アルケニル基、アリール基、アラルキル基若しくはシクロへキシル基である態様があげられる。
【０１４７】
前記マゼンタ染料（Ｍ−２ｂ）は、その構造中に、スルホン酸基およびカルボキシ基またはこられの塩を合計で６個以下、好ましくは５個以下、特に好ましくは４個以下有することが好ましい。また、前記マゼンタ染料（Ｍ−２ｂ）は、遊離酸型のまま使用してもよいが、製造時に塩型で得られた場合はそのまま使用してもよいし、所望の塩型に変換してもよい。また、前記マゼンタ染料（Ｍ−２ｂ）は、酸基の一部が塩型のものであってもよく、塩型の色素と遊離酸型の色素が混在していてもよい。このような塩型としては、例えば、Ｎａ、Ｌｉ、Ｋ等のアルカリ金属の塩、アルキル基若しくはヒドロキシアルキル基で置換されていてもよいアンモニウムの塩、または有機アミンの塩等があげられる。前記有機アミンとしては、例えば、低級アルキルアミン、ヒドロキシ置換低級アルキルアミン、カルボキシ置換低級アルキルアミン、炭素原子数２〜４のアルキレンイミン単位を２〜１０個有するポリアミン等があげられる。これらの塩型の場合、その種類は、１種類に限られず複数種混在していてもよい。
【０１４８】
前記マゼンタ染料（Ｍ−２ｂ）の好ましい態様としては、例えば、一般式（Ｍ−２ｂ）において、
ｒは、０であり、
Ｒ１８は、カルボキシ基、カルバモイル基、トリフルオロメチル基またはスルファモイル基であり、
Ｒ１９、Ｒ２０およびＲ２２は、それぞれ、水素原子であり、
Ｒ２１は、カルボキシ基またはスルファモイル基で置換されてもよいフェニル基またはカルボキシアルキル基であり、
Ｒ２３は、水素原子またはアルキル基である態様があげられる。
【０１４９】
前記マゼンタ染料（Ｍ−２ｂ）の好ましい具体例としては、化学式（Ｍ−２ｂ−１）〜（Ｍ−２ｂ−５）で表される化合物があげられる。
【０１５０】
【化２０】
2011111611.tif 000022
【０１５１】
化学式（Ｍ−２ｂ−１）で表される化合物は、一般式（Ｍ−２ｂ）において、
ｒは、０であり、
Ｒ１８は、アゾ基に結合するフェニル基の２位に位置するカルボキシ基であり、
Ｒ１９、Ｒ２０およびＲ２２は、それぞれ、水素原子であり、
Ｒ２１は、２−カルボキシフェニル基であり、
Ｒ２３は、水素原子である態様である。化学式（Ｍ−２ｂ−１）で表される化合物において、ナフタレン環の３位および６位に位置するスルホン酸は、アンモニウム塩となっている。
【０１５２】
【化２１】
2011111611.tif 000023
【０１５３】
化学式（Ｍ−２ｂ−２）で表される化合物は、一般式（Ｍ−２ｂ）において、
ｒは、０であり、
Ｒ１８は、アゾ基に結合するフェニル基の２位に位置するカルバモイル基であり、
Ｒ１９、Ｒ２０およびＲ２２は、それぞれ、水素原子であり、
Ｒ２１は、２−カルボキシフェニル基であり、
Ｒ２３は、水素原子である態様である。化学式（Ｍ−２ｂ−２）で表される化合物において、ナフタレン環の３位および６位に位置するスルホン酸は、ナトリウム塩となっている。
【０１５４】
【化２２】
2011111611.tif 000024
【０１５５】
化学式（Ｍ−２ｂ−３）で表される化合物は、一般式（Ｍ−２ｂ）において、
ｒは、０であり、
Ｒ１８は、アゾ基に結合するフェニル基の３位に位置するスルファモイル基であり、
Ｒ１９、Ｒ２０およびＲ２２は、それぞれ、水素原子であり、
Ｒ２１は、２−スルファモイルフェニル基であり、
Ｒ２３は、イソプロピル基である態様である。化学式（Ｍ−２ｂ−３）で表される化合物において、ナフタレン環の３位および６位に位置するスルホン酸は、エチルアンモニウム塩となっている。
【０１５６】
【化２３】
2011111611.tif 000025
【０１５７】
化学式（Ｍ−２ｂ−４）で表される化合物は、一般式（Ｍ−２ｂ）において、
ｒは、０であり、
Ｒ１８は、アゾ基に結合するフェニル基の２位に位置するトリフルオロメチル基であり、
Ｒ１９、Ｒ２０およびＲ２２は、それぞれ、水素原子であり、
Ｒ２１は、１−カルボキシ−２−メチルブチル基であり、
Ｒ２３は、メチル基である態様である。化学式（Ｍ−２ｂ−４）で表される化合物において、ナフタレン環の３位および６位に位置するスルホン酸は、メチルアンモニウム塩となっている。
【０１５８】
【化２４】
2011111611.tif 000026
【０１５９】
化学式（Ｍ−２ｂ−５）で表される化合物は、一般式（Ｍ−２ｂ）において、
ｒは、０であり、
Ｒ１８は、アゾ基に結合するフェニル基の２位に位置するカルボキシ基であり、
Ｒ１９、Ｒ２０およびＲ２２は、それぞれ、水素原子であり、
Ｒ２１は、フェニル基であり、
Ｒ２３は、水素原子である態様である。化学式（Ｍ−２ｂ−５）で表される化合物において、ナフタレン環の３位および６位に位置するスルホン酸は、アンモニウム塩となっている。
【０１６０】
Ｃ．Ｉ．アシッドレッド１は、例えば、構造式（Ｍ−２ｃ）で表される染料である。
【０１６１】
【化２５】
2011111611.tif 000027
【０１６２】
前記マゼンタ染料（Ｍ−２）が、前記マゼンタ染料（Ｍ−２ｂ）、Ｃ．Ｉ．アシッドレッド１およびＣ．Ｉ．アシッドレッド２５４からなる群から選択される少なくとも一種の染料である場合、前記水性マゼンタインクに前記マゼンタ染料（Ｍ−１）を含ませることで、耐オゾン性および耐光性を向上させることができる。この場合の前記マゼンタ染料（Ｍ−１）の配合量は、特に制限されないが、前記水性マゼンタインク全量に対し、例えば、０．１重量％〜１０重量％であり、好ましくは、１．４重量％〜５．４重量％である。
【０１６３】
前記マゼンタ染料（Ｍ−２）が、前記マゼンタ染料（Ｍ−２ｂ）、Ｃ．Ｉ．アシッドレッド１およびＣ．Ｉ．アシッドレッド２５４からなる群から選択される少なくとも一種の染料である場合、前記水性マゼンタインクに前記マゼンタ染料（Ｍ−２）を含ませることで、発色性を向上させることができる。この場合の前記マゼンタ染料（Ｍ−２）の配合量は、特に制限されないが、前記水性マゼンタインク全量に対し、例えば、０．０５重量％〜５重量％であり、好ましくは、０．２重量％〜１．８重量％である。
【０１６４】
前記マゼンタ染料（Ｍ−２）が、前記マゼンタ染料（Ｍ−２ｂ）、Ｃ．Ｉ．アシッドレッド１およびＣ．Ｉ．アシッドレッド２５４からなる群から選択される少なくとも一種の染料である場合、前記水性マゼンタインクにおける前記マゼンタ染料（Ｍ−１）と前記マゼンタ染料（Ｍ−２）との重量比は、マゼンタ染料（Ｍ−１）：マゼンタ染料（Ｍ−２）＝７０：３０〜９０：１０であることが好ましい。前記重量比を前記範囲とすることで、発色性と、耐オゾン性および耐光性とが、共に極めて良好な水性マゼンタインクを得ることができる。
【０１６５】
前記マゼンタ染料（Ｍ−１）と前記マゼンタ染料（Ｍ−２）との総配合量は、特に制限されないが、前記水性マゼンタインク全量に対し、２重量％〜６重量％であることが好ましい。前記総配合量を前記範囲とすることで、保存安定性、発色性、耐オゾン性、耐光性および噴射安定性の全てが、極めて良好な水性マゼンタインクを得ることができる。
【０１６６】
前記マゼンタ着色剤は、前記マゼンタ染料（Ｍ−１）および前記マゼンタ染料（Ｍ−２）に加え、さらに他の染料および顔料等を含んでもよい。
【０１６７】
前記水およびその配合量は、前述の水性イエローインクにおける水およびその配合量と同様である。
【０１６８】
前記水溶性有機溶剤およびその配合量も、前述の水性イエローインクにおける水溶性有機溶剤およびその配合量と同様である。
【０１６９】
前記水性マゼンタインクは、必要に応じて、さらに、従来公知の添加剤を含んでもよい。前記添加剤も、前述の水性イエローインクにおける添加剤と同様である。
【０１７０】
前記水性マゼンタインクは、例えば、マゼンタ着色剤、水および水溶性有機溶剤と、必要に応じて他の添加成分とを、従来公知の方法で均一に混合し、フィルタ等で不溶解物を除去することにより調製できる。
【０１７１】
（水性シアンインク）
前記水性シアンインクについて説明する。前述のとおり、前記水性シアンインクは、シアン着色剤、水および水溶性有機溶剤を含む。前記シアン着色剤は、前記シアン染料（Ｃ−１）を含む。
【０１７２】
前述のとおり、前記シアン染料（Ｃ−１）は、一般式（Ｃ−１）で表される染料である。
【０１７３】
一般式（Ｃ−１）で表される化合物は、環Ａ３１、Ａ３２およびＡ３３がすべて２，３−ピリジン環または３，２−ピリジン環である化合物であってもよいし、環Ａ３１、Ａ３２およびＡ３３のうち二つが２，３−ピリジン環または３，２−ピリジン環であり、残り一つがベンゼン環である化合物であってもよいし、環Ａ３１、Ａ３２およびＡ３３のうち一つが２，３−ピリジン環または３，２−ピリジン環であり、残り二つがベンゼン環である化合物であってもよい。
前記シアン染料（Ｃ−１）は、単一の前記化合物で構成されていてもよいし、２種以上の前記化合物を含む混合物であってもよい。
【０１７４】
前記シアン染料（Ｃ−１）の好ましい具体例としては、化学式（Ｃ−１ａ）〜（Ｃ−１ｆ）で表される化合物があげられる。
【０１７５】
【化２６】
2011111611.tif 000028
化学式（Ｃ−１ａ）において、
環Ａ３１、Ａ３２およびＡ３３は、それぞれ独立に、２，３−ピリジン環および／または３，２−ピリジン環であり、
ａは、１．０であり、ｂは、１．８であり、ｃは、１．２であり、ａ、ｂおよびｃは、混合物における平均値である。
【０１７６】
【化２７】
2011111611.tif 000029
化学式（Ｃ−１ｂ）において、
環Ａ３１およびＡ３２は、それぞれ独立に、２，３−ピリジン環および／または３，２−ピリジン環であり、環Ａ３３は、ベンゼン環であり、
ａは、２．４であり、ｂは、０．６であり、ｃは、１．０であり、ａ、ｂおよびｃは、混合物における平均値である。
【０１７７】
【化２８】
2011111611.tif 000030
化学式（Ｃ−１ｃ）において、
環Ａ３１、Ａ３２およびＡ３３は、それぞれ独立に、２，３−ピリジン環および／または３，２−ピリジン環であり、
ａは、３．０であり、ｂは、０．２であり、ｃは、０．８であり、ａ、ｂおよびｃは、混合物における平均値である。
【０１７８】
【化２９】
2011111611.tif 000031
化学式（Ｃ−１ｄ）において、
環Ａ３１は、ベンゼン環であり、環Ａ３２およびＡ３３は、それぞれ独立に、２，３−ピリジン環および／または３，２−ピリジン環であり、
ａは、１．８であり、ｂは、０．９であり、ｃは、１．３であり、ａ、ｂおよびｃは、混合物における平均値である。
【０１７９】
【化３０】
2011111611.tif 000032
化学式（Ｃ−１ｅ）において、
環Ａ３１、Ａ３２およびＡ３３は、それぞれ独立に、２，３−ピリジン環および／または３，２−ピリジン環であり、
ａは、１．１であり、ｂは、１．３であり、ｃは、１．６であり、ａ、ｂおよびｃは、混合物における平均値である。
【０１８０】
【化３１】
2011111611.tif 000033
化学式（Ｃ−１ｆ）において、
環Ａ３１およびＡ３３は、それぞれ独立に、２，３−ピリジン環および／または３，２−ピリジン環であり、環Ａ３２は、ベンゼン環であり、
ａは、０であり、ｂは、１．８であり、ｃは、２．２であり、ａ、ｂおよびｃは、混合物における平均値である。
【０１８１】
前記シアン着色剤は、前記シアン染料（Ｃ−１）のみで構成されていてもよいし、さらに他の染料および顔料等を含んでもよい。前記他の染料としては、例えば、下記のシアン染料（Ｃ−２）があげられる。
シアン染料（Ｃ−２）：一般式（Ｃ−２ａ）で表される染料、一般式（Ｃ−２ｂ）で表される染料、Ｃ．Ｉ．ダイレクトブルー１９９およびＣ．Ｉ．ダイレクトブルー８６からなる群から選択される少なくとも一種の染料
【化３２】
2011111611.tif 000034
一般式（Ｃ−２ａ）において、
Ｐｃ（Ｃｕ）は、一般式（Ｐｃ）で表される銅フタロシアニン核であり、
Ｒ３１、Ｒ３２、Ｒ３３およびＲ３４は、それぞれ、−ＳＯ２Ｒａ、−ＳＯ２ＮＲｂＲｃおよび−ＣＯ２Ｒａからなる群から選択される置換基であり、Ｒ３１、Ｒ３２、Ｒ３３およびＲ３４のすべてが同一であることはなく、Ｒ３１、Ｒ３２、Ｒ３３およびＲ３４の少なくとも一つは、イオン性親水性基を置換基として有し、Ｒ３１、Ｒ３２、Ｒ３３およびＲ３４の少なくとも一つは、一般式（Ｐｃ）で表される銅フタロシアニン核中の４つのベンゼン環Ａ、Ｂ、ＣおよびＤのそれぞれに存在し、Ｒａは、置換または無置換のアルキル基であり、Ｒｂは、水素原子、置換または無置換のアルキル基であり、Ｒｃは、置換または無置換のアルキル基であり、
ｋは、０＜ｋ＜８を満たし、ｌは、０＜ｌ＜８を満たし、ｍは、０≦ｍ＜８を満たし、ｎは、０≦ｎ＜８を満たし、且つ、ｋ、ｌ、ｍおよびｎは、４≦ｋ＋ｌ＋ｍ＋ｎ≦８を満たす。
【化３３】
2011111611.tif 000035
一般式（Ｃ−２ｂ）において、
Ｐｃ（Ｃｕ）は、一般式（Ｐｃ）で表される銅フタロシアニン核であり、
Ｍ０は、リチウム、ナトリウム、カリウムおよびアンモニウムのいずれかであり、
ｘは、０＜ｘ＜４を満たし、ｙは、０＜ｙ＜４を満たし、且つ、ｘおよびｙは、２≦ｘ＋ｙ≦５を満たし、
ＳＯ３Ｍ０基およびＳＯ２ＮＨ２基は、一般式（Ｐｃ）で表される銅フタロシアニン核中の４つのベンゼン環Ａ、Ｂ、ＣおよびＤのいずれかに存在する。
【化３４】
2011111611.tif 000036
【０１８２】
一般式（Ｃ−２ａ）において、前記置換または無置換のアルキル基は、好ましくは、炭素原子数１〜１２の直鎖、分岐鎖または脂環式アルキル基である。前記アルキル基は、染料の溶解性および水性シアンインクの安定性を向上させる観点から、分岐鎖を有するものが好ましく、不斉炭素を有するもの(ラセミ体での使用)が特に好ましい。前記置換または無置換のアルキル基としては、例えば、メチル基、エチル基、ｎ−ブチル基、イソプロピル基、ｔｅｒｔ−ブチル基、ヒドロキシエチル基、メトキシエチル基、シアノエチル基、トリフルオロメチル基、３−スルホプロピル基、４−スルホブチル基等があげられる。
【０１８３】
一般式（Ｃ−２ａ）において、前記置換アルキル基の置換基としては、例えば、メチル基、エチル基、プロピル基、イソプロピル基、ｓｅｃ−ブチル基、ｔｅｒｔ−ブチル基、２−エチルへキシル基、２−メチルスルホニルエチル基、３−フェノキシプロピル基、トリフルオロメチル基、シクロペンチル基等の炭素原子数１〜１２の直鎖または分岐鎖アルキル基；炭素原子数７〜１８の直鎖または分岐鎖アラルキル基；炭素原子数２〜１２の直鎖または分岐鎖アルケニル基；炭素原子数２〜１２の直鎖または分岐鎖アルキニル基；炭素原子数３〜１２の直鎖または分岐鎖シクロアルキル基；炭素原子数３〜１２の直鎖または分岐鎖シクロアルケニル基；塩素原子、臭素原子等のハロゲン原子；フェニル基、４−ｔｅｒｔ−ブチルフェニル基、２，４−ジ−ｔｅｒｔ−アミノフェニル基等のアリール基；イミダゾリル基、ピラゾリル基、トリアゾリル基、２−フリル基、２−チエニル基、２−ピリミジニル基、２−ベンゾチアゾリル基等のヘテロ環基；シアノ基；ヒドロキシル基；ニトロ基；カルボキシ基；アミノ基；メトキシ基、エトキシ基、２−メトキシエトキシ基、２−メタンスルホニルエトキシ基等のアルコキシ基；フェノキシ基、２−メチルフェノキシ基、４−ｔｅｒｔ−ブチルフェノキシ基、３−ニトロフェノキシ基、３−ｔｅｒｔ−ブトキシカルバモイルフェノキシ基、３−メトキシカルバモイル基等のアリールオキシ基；アセトアミド基、ベンズアミド基、４−（３−ｔｅｒｔ−ブチル−４−ヒドロキシフェノキシ）ブタンアミド基等のアシルアミノ基；メチルアミノ基、ブチルアミノ基、ジエチルアミノ基、メチルブチルアミノ基等のアルキルアミノ基；フェニルアミノ基、２−クロロアニリノ基等のアニリノ基；フェニルウレイド基、メチルウレイド基、Ｎ，Ｎ−ジブチルウレイド基等のウレイド基；Ｎ，Ｎ−ジプロピルスルファモイルアミノ基等のスルファモイルアミノ基；メチルチオ基、オクチルチオ基、２−フェノキシエチルチオ基等のアルキルチオ基；フェニルチオ基、２−ブトキシ−５−ｔｅｒｔ−オクチルフェニルチオ基、２−カルボキシフェニルチオ基等のアリールチオ基；メトキシカルボニルアミノ基等のアルコキシカルボニルアミノ基；メタンスルホンアミド基、ベンゼンスルホンアミド基、ｐ−トルエンスルホンアミド基等のスルホンアミド基；Ｎ−エチルカルバモイル基、Ｎ，Ｎ−ジプロピルスルファモイル基、Ｎ−フェニルスルファモイル基等のスルファモイル基；メタンスルホニル基、オクタンスルホニル基、ベンゼンスルホニル基、トルエンスルホニル基等のスルホニル基；メトキシカルボニル基、ブトキシカルボニル基等のアルコキシカルボニル基；１−フェニルテトラゾール−５−オキシ基、２−テトラヒドロキシピラニルオキシ基等のヘテロ環オキシ基；フェニルアゾ基、４−メトキシフェニルアゾ基、４−ピバロイルアミノフェニルアゾ基、２−ヒドロキシ−４−プロパノイルフェニルアゾ基等のアゾ基；アセトキシ基等のアシルオキシ基；Ｎ−メチルカルバモイルオキシ基、Ｎ−フェニルカルバモイルオキシ基等のカルバモイルオキシ基；トリメチルシリルオキシ基、ジブチルメチルシリルオキシ基等のシリルオキシ基；フェノキシカルボニルアミノ基等のアリールオキシカルボニルアミノ基；Ｎ−スクシンイミド基、Ｎ−フタルイミド基等のイミド基；２−ベンゾチアゾリルチオ基、２，４−ジフェノキシ−１，３，５−トリアゾール−６−チオ基、２−ピリジルチオ基等のヘテロ環チオ基；３−フェノキシプロピルスルフィニル基等のスルフィニル基；フェノキシホスホニル基、オクチルオキシホスホニル基、フェニルホスホニル基等のホスホニル基；フェノキシカルボニル基等のアリールオキシカルボニル基；アセチル基、３−フェニルプロパノイル基、ベンゾイル基等のアシル基；カルボキシ基、スルホ基、ホスホノ基、４級アンモニウム基等のイオン性親水性基等があげられる。前記置換アルキル基の置換基である前記アルキル基、前記アラルキル基、前記アルケニル基、前記アルキニル基、前記シクロアルキル基および前記シクロアルケニル基は、染料の溶解性および水性シアンインクの安定性を向上させる観点から、分岐鎖を有するものが好ましく、不斉炭素を有するものが特に好ましい。
【０１８４】
前記シアン染料（Ｃ−２ａ）の好ましい態様としては、例えば、一般式（Ｃ−２ａ）において、Ｒ３１、Ｒ３２、Ｒ３３およびＲ３４が、それぞれ、−ＳＯ２Ｒａであり、Ｒ３１、Ｒ３２、Ｒ３３およびＲ３４がそれぞれ有するＲａのすべてが同一であることはなく、少なくとも一つのＲａが、イオン性親水性基を有する置換アルキル基である態様である。
【０１８５】
前記シアン染料（Ｃ−２ａ）のより好ましい態様としては、例えば、一般式（Ｃ−２ａ）において、ｋは、０＜ｋ＜４を満たし、ｌは、０＜ｌ＜４を満たし、ｍは、０≦ｍ＜４を満たし、ｎは、０≦ｎ＜４を満たし、且つ、ｋ、ｌ、ｍおよびｎは、ｋ＋ｌ＋ｍ＋ｎ＝４を満たす態様である。
【０１８６】
前記シアン染料（Ｃ−２ａ）の好ましい具体例としては、化学式（Ｃ−２ａ−１）〜（Ｃ−２ａ−５）で表される化合物があげられる。
【０１８７】
【化３５】
2011111611.tif 000037
【０１８８】
化学式（Ｃ−２ａ−１）で表される化合物は、一般式（Ｃ−２ａ）において、Ｒ３１がリチウムスルホナトプロピルスルホニル基、Ｒ３２がＮ−（２−ヒドロキシプロピル）スルファモイルプロピルスルホニル基であり、ｋが３、ｌが１、ｍおよびｎが共に０である態様である。
【０１８９】
【化３６】
2011111611.tif 000038
【０１９０】
化学式（Ｃ−２ａ−２）で表される化合物は、一般式（Ｃ−２ａ）において、Ｒ３１がリチウムスルホナトプロピルスルホニル基、Ｒ３２がＮ−（２−ヒドロキシイソプロピル）スルファモイルプロピルスルホニル基であり、ｋが３、ｌが１、ｍおよびｎが共に０である態様である。
【０１９１】
【化３７】
2011111611.tif 000039
【０１９２】
化学式（Ｃ−２ａ−３）で表される化合物は、一般式（Ｃ−２ａ）において、Ｒ３１がリチウムスルホナトプロピルスルホニル基、Ｒ３２がＮ，Ｎ−（ジ（２−ヒドロキエチル））スルファモイルプロピルスルホニル基であり、ｋが３、ｌが１、ｍおよびｎが共に０である態様である。
【０１９３】
【化３８】
2011111611.tif 000040
【０１９４】
化学式（Ｃ−２ａ−４）で表される化合物は、一般式（Ｃ−２ａ）において、Ｒ３１がリチウムスルホナトプロピルスルホニル基、Ｒ３２がＮ−（２−ヒドロキシプロピル）スルファモイルプロピルスルホニル基、Ｒ３３がＮ−（２−ヒドロキシイソプロピル）スルファモイルプロピルスルホニル基であり、ｋが２、ｌが１、ｍが１、ｎが０である態様である。
【０１９５】
【化３９】
2011111611.tif 000041
【０１９６】
化学式（Ｃ−２ａ−５）で表される化合物は、一般式（Ｃ−２ａ）において、Ｒ３１がリチウムスルホナトプロピルスルホニル基、Ｒ３２がリチウムカルボキシラトプロピルスルホニル基、Ｒ３３がＮ−（２−ヒドロキシプロピル）スルファモイルプロピルスルホニル基、Ｒ３４がＮ−（２−ヒドロキシイソプロピル）スルファモイルプロピルスルホニル基であり、ｋ、ｌ、ｍおよびｎが共に１である態様である。
【０１９７】
一般式（Ｃ−２ｂ）において、前記Ｍ０は、水性シアンインク中で電離して、イオン（Ｌｉ＋、Ｎａ＋、Ｋ＋およびＮＨ４＋のいずれか）となっていてもよい。
前記水性シアンインクでは、一般式（Ｃ−２ｂ）において、ｘおよびｙは、ｘ＋ｙ＝４を満たしてもよい。
【０１９８】
前記シアン染料（Ｃ−２ｂ）の好ましい具体例としては、化学式（Ｃ−２ｂ−１）〜（Ｃ−２ｂ−４）で表される化合物があげられる。
【０１９９】
【化４０】
2011111611.tif 000042
【０２００】
化学式（Ｃ−２ｂ−１）で表される化合物は、一般式（Ｃ−２ｂ）において、Ｍ０がナトリウムであり、ｘが１、ｙが３であり、一般式（Ｐｃ）で表される銅フタロシアニン核中の４つのベンゼン環Ａ、Ｂ、ＣおよびＤのそれぞれに一つの置換基が存在する態様である。
【０２０１】
【化４１】
2011111611.tif 000043
【０２０２】
化学式（Ｃ−２ｂ−２）で表される化合物は、一般式（Ｃ−２ｂ）において、Ｍ０がナトリウムであり、ｘが２、ｙが２であり、一般式（Ｐｃ）で表される銅フタロシアニン核中の４つのベンゼン環Ａ、Ｂ、ＣおよびＤのそれぞれに一つの置換基が存在する態様である。
【０２０３】
【化４２】
2011111611.tif 000044
【０２０４】
化学式（Ｃ−２ｂ−３）で表される化合物は、一般式（Ｃ−２ｂ）において、Ｍ０がナトリウムであり、ｘが３、ｙが１であり、一般式（Ｐｃ）で表される銅フタロシアニン核中の４つのベンゼン環Ａ、Ｂ、ＣおよびＤのそれぞれに一つの置換基が存在する態様である。
【０２０５】
【化４３】
2011111611.tif 000045
【０２０６】
化学式（Ｃ−２ｂ−４）で表される化合物は、一般式（Ｃ−２ｂ）において、Ｍ０がアンモニウムであり、ｘが１、ｙが３であり、一般式（Ｐｃ）で表される銅フタロシアニン核中の４つのベンゼン環Ａ、Ｂ、ＣおよびＤのそれぞれに一つの置換基が存在する態様である。
【０２０７】
Ｃ．Ｉ．ダイレクトブルー１９９は、例えば、化学式（Ｃ−２ｃ）で表される染料である。
【０２０８】
【化４４】
2011111611.tif 000046
【０２０９】
Ｃ．Ｉ．ダイレクトブルー８６は、例えば、化学式（Ｃ−２ｄ）で表される染料である。
【０２１０】
【化４５】
2011111611.tif 000047
【０２１１】
前記シアン染料（Ｃ−１）に加え前記シアン染料（Ｃ−２）を用いる場合において、前記シアン染料（Ｃ−１）の配合量は、特に制限されない。水性シアンインクに前記シアン染料（Ｃ−１）を含ませれば、保存安定性、耐オゾン性、耐光性および噴射安定性を向上させることができる。前記シアン染料（Ｃ−１）の配合量は、前記水性シアンインク全量に対し、例えば、０．１重量％〜１０重量％であり、好ましくは、１．４重量％〜５．７重量％であり、より好ましくは、１．６重量％〜４．８重量％である。
【０２１２】
前記シアン染料（Ｃ−１）に加え前記シアン染料（Ｃ−２）を用いる場合において、前記シアン染料（Ｃ−２）の配合量は、特に制限されない。水性シアンインクに前記シアン染料（Ｃ−２）を含ませれば、発色性を向上させることができる。前記シアン染料（Ｃ−２）の配合量は、前記水性シアンインク全量に対し、例えば、０．０５重量％〜５重量％であり、好ましくは、０．１重量％〜１．８重量％であり、より好ましくは、０．１重量％〜１．５重量％である。
【０２１３】
前記シアン染料（Ｃ−１）に加え前記シアン染料（Ｃ−２）を用いる場合において、前記水性シアンインクにおける前記シアン染料（Ｃ−１）と前記シアン染料（Ｃ−２）との重量比は、シアン染料（Ｃ−１）：シアン染料（Ｃ−２）＝７０：３０〜９５：５であることが好ましい。前記重量比を前記範囲とすることで、保存安定性、発色性、耐オゾン性および耐光性に加え、噴射安定性が極めて良好な水性シアンインクを得ることができる。
【０２１４】
前記シアン染料（Ｃ−１）と前記シアン染料（Ｃ−２）との総配合量は、特に制限されないが、前記水性シアンインク全量に対し、２重量％〜６重量％であることが好ましい。前記総配合量を前記範囲とすることで、保存安定性、発色性、耐オゾン性、耐光性および噴射安定性の全てが、極めて良好な水性シアンインクを得ることができる。
【０２１５】
前記水およびその配合量は、前述の水性イエローインクにおける水およびその配合量と同様である。
【０２１６】
前記水溶性有機溶剤およびその配合量は、前述の水性イエローインクにおける水溶性有機溶剤およびその配合量と同様である。
【０２１７】
前記水性シアンインクは、必要に応じて、さらに、従来公知の添加剤を含んでもよい。前記添加剤も、前述の水性イエローインクにおける添加剤と同様である。
【０２１８】
前記水性シアンインクは、例えば、シアン着色剤、水および水溶性有機溶剤と、必要に応じて他の添加成分とを、従来公知の方法で均一に混合し、フィルタ等で不溶解物を除去することにより調製できる。
【０２１９】
本発明のインクジェット記録用水性インクセットは、前記３色の水性インクを含むことにより、フルカラー記録に対応可能である。本発明の水性インクセットは、前記３色の水性インクのみで構成されていてもよいし、さらに他の色の水性インクを含んでもよい。前記他の色の水性インクとしては、例えば、水性ブラックインク、水性レッドインク、水性グリーンインク、水性ブルーインク、着色剤濃度が低い水性ライトインク（水性ライトイエローインク、水性ライトマゼンタインク、水性ライトシアンインク、水性ライトブラックインク、水性ライトレッドインク、水性ライトグリーンインク、水性ライトブルーインク等）等があげられる。フルカラー記録により好適に対応可能となることから、本発明の水性インクセットは、水性ブラックインクを含むことが好ましい。
【０２２０】
つぎに、本発明のインクカートリッジについて説明する。本発明のインクカートリッジは、水性イエローインク、水性マゼンタインクおよび水性シアンインクのそれぞれの収納部を有するインクカートリッジであって、前記水性イエローインク、前記水性マゼンタインクおよび前記水性シアンインクが、本発明のインクジェット記録用水性インクセットの水性イエローインク、水性マゼンタインクおよび水性シアンインクであることを特徴とする。本発明のインクカートリッジは、さらに、前記他の色の水性インクの収納部を有してもよい。
【０２２１】
本発明のインクカートリッジは、１色の水性インクの収納部を有するインクカートリッジが複数集まったインクカートリッジ集合体であることが好ましい。ただし、本発明はこれに限定されない。本発明のインクカートリッジは、各色の水性インクの収納部を形成するようにその内部が間仕切りされた一体型のインクカートリッジであってもよい。本発明のインクカートリッジの本体としては、例えば、従来公知のものを使用できる。
【０２２２】
つぎに、本発明のインクジェット記録装置について説明する。本発明のインクジェット記録装置は、インク収容部およびインク吐出手段を含み、前記インク収容部に収容されたインクを前記インク吐出手段によって吐出するインクジェット記録装置であって、前記インク収容部に、本発明のインクカートリッジが収容されていることを特徴とする。これを除き、本発明のインクジェット記録装置の構成は、例えば、従来公知のインクジェット記録装置と同様であってもよい。
【０２２３】
図１に、本発明のインクジェット記録装置の一例の構成を示す。図示のとおり、このインクジェット記録装置１は、４つのインクカートリッジ２と、インク吐出手段（インクジェットヘッド）３と、ヘッドユニット４と、キャリッジ５と、駆動ユニット６と、プラテンローラ７と、パージ装置８とを主要な構成部材として含む。
【０２２４】
前記４つのインクカートリッジ２は、イエロー、マゼンタ、シアンおよびブラックの４色の水性インクを、それぞれ１色ずつ含む。例えば、前記イエロー、マゼンタおよびシアンの３色の水性インクが、本発明の水性インクセットの水性イエローインク、水性マゼンタインクおよび水性シアンインクである。前記インクジェットヘッド３は、記録紙等の被記録媒体Ｐに記録を行う。前記ヘッドユニット４は、前記インクジェットヘッド３を備えている。前記キャリッジ５には、前記４つのインクカートリッジ２および前記ヘッドユニット４が搭載される。前記駆動ユニット６は、前記キャリッジ５を直線方向に往復移動させる。前記駆動ユニット６としては、例えば、従来公知のものを使用できる（例えば、特開２００８−２４６８２１号公報参照）。前記プラテンローラ７は、前記キャリッジ５の往復方向に延び、前記インクジェットヘッド３と対向して配置されている。前記記録は、印字、印画、印刷等を含む。
【０２２５】
前記被記録媒体Ｐは、このインクジェット記録装置１の側方又は下方に設けられた給紙カセット（図示せず）から給紙される。前記被記録媒体Ｐは、前記インクジェットヘッド３と、前記プラテンローラ７との間に導入される。すると、前記被記録媒体Ｐに、前記インクジェットヘッド３から吐出されるインクにより所定の記録がなされる。前記被記録媒体Ｐは、その後、前記インクジェット記録装置１から排紙される。図１においては、前記被記録媒体Ｐの給紙機構及び排紙機構の図示を省略している。
【０２２６】
前記パージ装置８は、前記インクジェットヘッド３の内部に溜まる気泡等を含んだ不良インクを吸引する。前記パージ装置８としては、例えば、従来公知のものを使用できる（例えば、特開２００８−２４６８２１号公報参照）。
【０２２７】
前記パージ装置８の前記プラテンローラ７側の位置には、前記パージ装置８に隣接してワイパ部材２０が配設されている。前記ワイパ部材２０は、へら状に形成されており、前記キャリッジ５の移動に伴って、前記インクジェットヘッド３のノズル形成面を拭うものである。図１において、キャップ１８は、インクの乾燥を防止するため、記録が終了すると前記リセット位置に戻される前記インクジェットヘッド３の複数のノズルを覆うものである。
【０２２８】
前記インクジェット記録装置において、前記４つのインクカートリッジは、複数のキャリッジに搭載されていてもよい。また、前記インクカートリッジは、前記キャリッジには搭載されず、インクジェット記録装置内に配置、固定されていてもよい。この態様においては、例えば、前記インクカートリッジと、前記キャリッジに搭載された前記ヘッドユニットとが、チューブ等により連結され、前記インクカートリッジから前記ヘッドユニットに前記インクが供給される。
【実施例】
【０２２９】
つぎに、本発明の実施例について比較例と併せて説明する。なお、本発明は、下記の実
施例および比較例により限定および制限されない。
【０２３０】
［水性イエローインクの調製］
インク組成成分（表２）を、均一に混合した。その後、得られた混合物を、東洋濾紙（株）製の親水性ポリテトラフルオロエチレン（ＰＴＦＥ）タイプメンブレンフィルタ（孔径０．２０μｍ）を用いてろ過することで、水性イエローインクＹ１〜Ｙ１１およびＹ１２ｃ〜Ｙ１６ｃを得た。なお、表２において、イエロー染料（Ｙ−１ａ）〜（Ｙ−１ｅ）は、それぞれ、化学式（Ｙ−１ａ）〜（Ｙ−１ｅ）で表される化合物である。
【０２３１】
［水性マゼンタインクの調製］
インク組成成分（表３）を、均一に混合した。その後、得られた混合物を、東洋濾紙（株）製の親水性ポリテトラフルオロエチレン（ＰＴＦＥ）タイプメンブレンフィルタ（孔径０．２０μｍ）を用いてろ過することで、水性マゼンタインクＭ１〜Ｍ１４およびＭ１５ｃ〜Ｍ２５ｃを得た。なお、表３において、マゼンタ染料（Ｍ−１ａ）〜（Ｍ−１ｅ）は、それぞれ、表１に示すマゼンタ染料（Ｍ−１ａ）〜（Ｍ−１ｅ）で表される化合物であり、マゼンタ染料（Ｍ−２ａ−１）〜（Ｍ−２ａ−５）は、それぞれ、化学式（Ｍ−２ａ−１）〜（Ｍ−２ａ−５）で表される化合物であり、マゼンタ染料（Ｍ−２ｂ−２）、（Ｍ−２ｂ−４）および（Ｍ−２ｂ−５）は、それぞれ、化学式（Ｍ−２ｂ−２）、（Ｍ−２ｂ−４）および（Ｍ−２ｂ−５）で表される化合物である。
【０２３２】
［水性シアンインクの調製］
インク組成成分（表４）を、均一に混合した。その後、得られた混合物を、東洋濾紙（株）製の親水性ポリテトラフルオロエチレン（ＰＴＦＥ）タイプメンブレンフィルタ（孔径０．２０μｍ）を用いてろ過することで、水性シアンインクＣ１〜Ｃ２１およびＣ２２ｃ〜Ｃ２９ｃを得た。なお、表４において、シアン染料（Ｃ−１ａ）〜（Ｃ−１ｅ）は、それぞれ、化学式（Ｃ−１ａ）〜（Ｃ−１ｅ）で表される化合物であり、シアン染料（Ｃ−２ａ−１）、（Ｃ−２ａ−２）および（Ｃ−２ａ−５）は、それぞれ、化学式（Ｃ−２ａ−１）、（Ｃ−２ａ−２）および（Ｃ−２ａ−５）で表される化合物であり、シアン染料（Ｃ−２ｂ−２）および（Ｃ−２ｂ−３）は、それぞれ、化学式（Ｃ−２ｂ−２）および（Ｃ−２ｂ−３）で表される化合物である。
【０２３３】
【表２】
2011111611.tif 000048
【０２３４】
【表３】
2011111611.tif 000049
【０２３５】
【表４】
2011111611.tif 000050
【０２３６】
［実施例１〜１９および比較例１〜１１］
〔インクジェット記録用水性インクセットの構成〕
表５および表６に示すように水性イエローインク、水性マゼンタインクおよび水性シアンインクを組み合わせて、インクジェット記録用水性インクセットを構成した。
【０２３７】
〔インクジェット記録用水性インクセットの評価〕
実施例および比較例の水性インクセットについて、（ａ）保存安定性評価、（ｂ）発色性評価、（ｃ）耐オゾン性評価、（ｄ）耐光性評価、（ｅ）噴射安定性評価および（ｆ）総合評価を、下記の方法により行った。なお、（ｃ）耐オゾン性評価および（ｄ）耐光性評価に用いるサンプルは、つぎのようにして準備した。
【０２３８】
まず、実施例および比較例の水性インクセットを構成する水性イエローインク、水性マゼンタインクおよび水性シアンインクを、それぞれインクカートリッジに充填した。ついで、前記インクカートリッジを、ブラザー工業（株）製のインクジェットプリンタ搭載デジタル複合機ＤＣＰ−３８５Ｃに装着した。つぎに、ブラザー工業（株）製の写真光沢紙ＢＰ７１ＧＡに前記水性インクの単色グラデーションサンプルをプリントし、初期ＯＤ値１．０の各単色パッチを得た。前記ＯＤ値は、Ｇｒｅｔａｇ  Ｍａｃｂｅｔｈ社製の分光測色計Ｓｐｅｃｔｒｏｌｉｎｏ（光源：Ｄ６５；視野：２°；ｓｔａｔｕｓ  Ａ）により測定した。
【０２３９】
（ａ）保存安定性評価
実施例および比較例の水性インクセットを構成する各水性インクを純水によって１６００倍に希釈した希釈液の最大吸収ピーク波長における吸光度を、（株）島津製作所製の紫外可視近赤外分光光度計ＵＶ３６００を用いて測定した。前記吸光度の測定には、セル長１０ｍｍの測定セルを用いた。ついで、別途、前記水性インクを密閉容器に入れ、温度６０℃の環境下で、２週間保存した。つぎに、前記保存後の前記水性インクを純水によって１６００倍に希釈した希釈液の吸光度を、保存前と同様にして、測定した。つぎに、下記式（Ｉ）により吸光度減少率（％）を求め、水性インクセットとしての保存安定性を下記の評価基準に従って評価した。なお、前記吸光度減少率が小さいほど、保存安定性に優れていたことになる。
吸光度減少率（％）＝｛（Ｘ−Ｙ）／Ｘ｝×１００      ・・・（Ｉ）
Ｘ：保存前の吸光度
Ｙ：保存後の吸光度
【０２４０】
保存安定性評価  評価基準
ＡＡ：水性インクの吸光度減少率がいずれも５％未満
Ａ  ：少なくとも一色の水性インクの吸光度減少率が５％以上１０％未満であり、残りの水性インクの吸光度減少率が５％未満
Ｃ  ：少なくとも一色の水性インクの吸光度が１０％以上
【０２４１】
（ｂ）発色性評価
実施例および比較例の水性インクセットを構成する水性イエローインク、水性マゼンタインクおよび水性シアンインクを、それぞれインクカートリッジに充填した。ついで、前記インクカートリッジを、ブラザー工業（株）製のインクジェットプリンタ搭載デジタル複合機ＤＣＰ−３８５Ｃに装着した。つぎに、ブラザー工業（株）製の写真光沢紙ＢＰ７１ＧＡに自然画像サンプル（ＪＩＳ  ＳＣＩＤ  Ｎｏ．２）をプリントした。この自然画像サンプルを、目視にて観察し、単色または各色を組み合わせた色が充分に表現されているか否かを、下記の評価基準に従って評価した。
【０２４２】
発色性評価  評価基準
ＡＡ：単色および各色を組み合わせた色が充分に表現できている。
Ａ  ；単色がそれぞれ、充分に表現できている。
Ｃ  ：単色および各色を組み合わせた色のいずれも充分に表現できていない。
【０２４３】
（ｃ）耐オゾン性評価
スガ試験機（株）製のオゾンウェザーメーターＯＭＳ−Ｈを用いて、オゾン濃度１ｐｐｍ、槽内温度２４℃、槽内相対湿度６０％の条件下に前記各単色パッチを４０時間放置した。ついで、前記放置後の前記各単色パッチのＯＤ値を、前述と同様にして、測定した。つぎに、下記式（ＩＩ）によりＯＤ値減少率（％）を求め、耐オゾン性を、下記の評価基準に従って評価した。なお、前記ＯＤ値減少率が小さいほど、画質の劣化が少なく、耐オゾン性に優れていたこととなる。
ＯＤ値減少率（％）＝｛（Ｘ−Ｙ）／Ｘ｝×１００      ・・・（ＩＩ）
Ｘ：１．０（初期ＯＤ値）
Ｙ：放置後のＯＤ値
【０２４４】
耐オゾン性評価  評価基準
ＡＡ：水性インクのＯＤ値減少率がいずれも２０％未満であって、各水性インク間のＯＤ値減少率の最大差が２０％未満
Ａ  ：水性インクのＯＤ値減少率がいずれも２０％以上３０％未満であって、各水性インク間のＯＤ値減少率の最大差が２０％未満
Ｃ  ：少なくとも一色の水性インクのＯＤ値減少率が３０％以上であるか、いずれかの水性インク間のＯＤ値減少率の差の最大値が２０％以上
【０２４５】
（ｄ）耐光性評価
スガ試験機（株）製のスーパーキセノンウェザーメーターＳＸ７５を用いて、槽内温度２３℃、槽内相対湿度５０％、照度８１ｋｌｘの条件下、前記各単色パッチにキセノンランプ光を１００時間照射した。ついで、前記照射後の前記各単色パッチのＯＤ値を、前述と同様にして、測定した。つぎに、下記式（ＩＩＩ）によりＯＤ値減少率（％）を求め、耐光性を、下記の評価基準に従って評価した。なお、前記ＯＤ値減少率が小さいほど、画質の劣化が少なく、耐光性に優れていたこととなる。
ＯＤ値減少率（％）＝｛（Ｘ−Ｙ）／Ｘ｝×１００      ・・・（ＩＩＩ）
Ｘ：１．０（初期ＯＤ値）
Ｙ：照射後のＯＤ値
【０２４６】
耐光性評価  評価基準
ＡＡ：水性インクのＯＤ値減少率がいずれも２０％未満であって、各水性インク間のＯＤ値減少率の最大差が２０％未満
Ａ  ：水性インクのＯＤ値減少率がいずれも２０％以上３０％未満であって、各水性インク間のＯＤ値減少率の最大差が２０％未満
Ｃ  ：少なくとも一色の水性インクのＯＤ値減少率が３０％以上であるか、いずれかの水性インク間のＯＤ値減少率の差の最大値が２０％以上
【０２４７】
（ｅ）噴射安定性評価
実施例および比較例の水性インクセットを構成する水性イエローインク、水性マゼンタインクおよび水性シアンインクのそれぞれについて、ブラザー工業（株）製のインクジェットプリンタ搭載デジタル複合機ＤＣＰ−３８５Ｃを使用し、富士通コワーコ（株）製のオフィス用紙Ｗ（記録用紙）上に、１億ドット（約３万枚）の連続記録を行った。前記連続記録の結果を、下記の評価基準に従って評価した。不吐出とは、インクジェットヘッドのノズルが目詰まりし、前記水性インクが吐出されない状態である。吐出曲がりとは、インクジェットヘッドのノズルの一部が目詰まりし、前記水性インクが、前記記録用紙に対して垂直に吐出されず、斜めに吐出される状態である。
【０２４８】
噴射安定性評価  評価基準
ＡＡ：連続記録中において、全ての水性インクに不吐出および吐出曲がりが全くなかった。
Ａ  ：連続記録中において、少なくとも一色の水性インクに不吐出若しくは吐出曲がりが僅かにあったが、前記不吐出若しくは吐出曲がりが、共に５回以内のパージによって回復した。
Ｃ  ：連続記録中において、少なくとも一色の水性インクに不吐出および吐出曲がりが多数有り、前記不吐出および吐出曲がりが、共に５回のパージでは回復しなかった。
【０２４９】
（ｆ）総合評価
各水性インクセットについて、前記（ａ）〜（ｅ）の結果から、下記の評価基準に従って総合評価を行った。
【０２５０】
総合評価  評価基準
Ｇ  ：評価結果のいずれにもＣはなかった。
ＮＧ：評価結果のいずれかにＣがあった。
【０２５１】
実施例の水性インクセットの構成および評価結果を、表５に示す。また、比較例の水性インクセットの構成および評価結果を、表６に示す。
【０２５２】
【表５】
2011111611.tif 000051
【０２５３】
【表６】
2011111611.tif 000052
【０２５４】
表５に示すとおり、実施例１〜１９の水性インクセットは、保存安定性評価、発色性評価、耐オゾン性評価、耐光性評価および噴射安定性評価のすべての結果が、良好であった。さらに、実施例１〜１９の水性インクは、退色後の色バランスも良好であった。
【０２５５】
一方、表６に示すとおり、比較例１の水性インクセットは、水性イエローインクがイエロー染料（Ｙ−２）を含まないため、保存安定性評価の結果が劣っており、水性マゼンタインクがマゼンタ染料（Ｍ−２）を含まないため、発色性評価の結果が著しく劣っており、水性シアンインクがシアン染料（Ｃ−１）を含まないため、噴射安定性評価の結果が著しく劣っていた。
【０２５６】
また、比較例２の水性インクセットは、水性イエローインクがイエロー染料（Ｙ−１）を含まないため、発色性評価、耐オゾン性評価および耐光性評価の結果が劣っており、水性マゼンタインクがマゼンタ染料（Ｍ−１）を含まないため、噴射安定性評価の結果が著しく劣っていた。さらに、水性イエローインクと水性マゼンタインク間、水性イエローインクと水性シアンインク間、水性マゼンタインクと水性シアンインク間の耐オゾン性評価および耐光性評価におけるＯＤ値減少率の差も大きく、退色後の色バランスが悪かった。
【０２５７】
また、比較例３の水性インクセットは、水性イエローインクがイエロー染料（Ｙ−１）を含まないため、耐オゾン性評価および耐光性評価の結果が劣っており、水性マゼンタインクがマゼンタ染料（Ｍ−２）に代えてＣ．Ｉ．アシッドレッド５２を含むため、耐オゾン性評価および耐光性評価の結果が著しく劣っていた。さらに、水性イエローインクと水性マゼンタインク間、水性イエローインクと水性シアンインク間の耐オゾン性評価および耐光性評価におけるＯＤ値減少率の差も大きく、退色後の色バランスが悪かった。
【０２５８】
また、比較例４の水性インクセットは、水性イエローインクがイエロー染料（Ｙ−２）に代えてＣ．Ｉ．アシッドイエロー２３を含むため、耐オゾン性評価および耐光性評価の結果が劣っており、水性マゼンタインクがマゼンタ染料（Ｍ−２）に代えてＣ．Ｉ．アシッドレッド２８９を含むため、耐オゾン性評価および耐光性評価の結果が著しく劣っており、水性シアンインクがシアン染料（Ｃ−１）を含まないため、耐オゾン性評価および耐光性評価の結果が著しく劣っており、噴射安定性評価の結果が劣っていた。さらに、水性イエローインクと水性マゼンタインク間、水性イエローインクと水性シアンインク間の耐オゾン性評価および耐光性評価におけるＯＤ値減少率の差も大きく、退色後の色バランスが悪かった。
【０２５９】
また、比較例５の水性インクセットは、水性イエローインクがイエロー染料（Ｙ−１）に代えてＣ．Ｉ．アシッドイエロー２３を含むため、耐オゾン性評価および耐光性評価の結果が劣っており、水性マゼンタインクがマゼンタ染料（Ｍ−１）に代えてＣ．Ｉ．アシッドレッド５２を含むため、耐オゾン性評価および耐光性評価の結果が著しく劣っており、水性シアンインクがシアン染料（Ｃ−１）を含まないため、発色性評価および噴射安定性評価の結果が劣っており、耐オゾン性評価および耐光性評価の結果が著しく劣っていた。さらに、水性イエローインクと水性マゼンタインク間、水性イエローインクと水性シアンインク間の耐オゾン性評価および耐光性評価におけるＯＤ値減少率の差も大きく、退色後の色バランスが悪かった。
【０２６０】
また、比較例６の水性インクセットは、水性マゼンタインクがマゼンタ染料（Ｍ−１）に代えてＣ．Ｉ．アシッドレッド２８９を含むため、耐オゾン性評価および耐光性評価の結果が著しく劣っており、水性シアンインクがシアン染料（Ｃ−１）を含まないため、耐オゾン性評価の結果が劣っていた。さらに、水性イエローインクと水性マゼンタインク間、水性マゼンタインクと水性シアンインク間の耐オゾン性評価および耐光性評価、水性イエローインクと水性シアンインク間の耐オゾン性評価におけるＯＤ値減少率の差も大きく、退色後の色バランスが悪かった。
【０２６１】
また、比較例７の水性インクセットは、水性マゼンタインクがマゼンタ染料（Ｍ−１）を含まないため、耐オゾン性評価および耐光性評価の結果が劣っており、水性シアンインクがシアン染料（Ｃ−１）を含まないため、耐オゾン性評価の結果が劣っていた。さらに、水性イエローインクと水性マゼンタインク間の耐オゾン性評価および耐光性評価、水性イエローインクと水性シアンインク間の耐オゾン性評価、水性マゼンタインクと水性シアンインク間の耐光性評価におけるＯＤ値減少率の差も大きく、退色後の色バランスが悪かった。
【０２６２】
また、比較例８の水性インクセットは、水性マゼンタインクがマゼンタ染料（Ｍ−１）を含まないため、耐オゾン性評価および耐光性評価の結果が劣っており、水性シアンインクがシアン染料（Ｃ−１）を含まないため、耐オゾン性評価の結果が劣っていた。さらに、水性イエローインクと水性マゼンタインク間の耐オゾン性評価および耐光性評価、水性イエローインクと水性シアンインク間の耐オゾン性評価、水性マゼンタインクと水性シアンインク間の耐光性評価におけるＯＤ値減少率の差も大きく、退色後の色バランスが悪かった。
【０２６３】
また、比較例９の水性インクセットは、水性マゼンタインクがマゼンタ染料（Ｍ−１）を含まないため、耐オゾン性評価および耐光性評価の結果が劣っており、水性シアンインクがシアン染料（Ｃ−１）を含まないため、耐オゾン性評価および耐光性評価の結果が著しく劣っていた。さらに、水性イエローインクと水性マゼンタインク間、水性イエローインクと水性シアンインク間、水性マゼンタインクと水性シアンインク間の耐オゾン性評価および耐光性評価におけるＯＤ値減少率の差も大きく、退色後の色バランスが悪かった。
【０２６４】
また、比較例１０の水性インクセットは、水性マゼンタインクがマゼンタ染料（Ｍ−１）およびマゼンタ染料（Ｍ−２）を含まないため、耐オゾン性評価および耐光性評価の結果が著しく劣っており、水性シアンインクがシアン染料（Ｃ−１）を含まないため、発色性評価の結果が劣っており、耐オゾン性評価および耐光性評価の結果が著しく劣っていた。さらに、水性イエローインクと水性マゼンタインク間、水性イエローインクと水性シアンインク間の耐オゾン性評価および耐光性評価におけるＯＤ値減少率の差も大きく、退色後の色バランスが悪かった。
【０２６５】
また、比較例１１の水性インクセットは、水性マゼンタインクがマゼンタ染料（Ｍ−１）およびマゼンタ染料（Ｍ−２）を含まないため、耐オゾン性評価および耐光性評価の結果が著しく劣っていた。さらに、水性イエローインクと水性マゼンタインク間、水性マゼンタインクと水性シアンインク間の耐オゾン性評価および耐光性評価におけるＯＤ値減少率の差も大きく、退色後の色バランスが悪かった。
【産業上の利用可能性】
【０２６６】
以上のように、本発明の水性インクセットは、保存安定性、発色性、噴射安定性に優れ、且つ、耐光性、耐オゾン性等の堅牢性にも優れ、たとえ退色したとしても、画像の色バランス変化の少ないものである。本発明の水性インクセットの用途は、特に限定されず、各種のインクジェット記録に広く適用可能である。
【符号の説明】
【０２６７】
１          インクジェット記録装置
２          インクカートリッジ
３          インク吐出手段（インクジェットヘッド）
４          ヘッドユニット
５          キャリッジ
６          駆動ユニット
７          プラテンローラ
８          パージ装置
【図１】
2011111611.tif 000061